(57)【要約】      （修正有）【課題】セルラ・ＷＬＡＮアグリゲーションが導入された場合に効率的な制御を実現可能な基地局、及びユーザ端末を提供する。【解決手段】基地局（ｅＮＢ）２００は、ｅＮＢとユーザ端末（ＵＥ）１００との間にデータベアラ＃２が確立される前に、ｅＮＢとノード（ＡＰ）３００との間のＸｗインターフェイスを介して、ＷＬＡＮ通信要求をＡＰへ送り、ＡＰからの応答を受信する。ｅＮＢは、受信した応答が肯定応答であることに応じて、ＵＥのデータ通信にセルラ通信及びＷＬＡＮ通信を利用するアグリゲーションの設定に関する設定メッセージをＵＥへ送信する。データベアラ＃１は、ＡＰを介さずにｅＮＢを介するデータベアラであり、データベアラ＃２は、ＡＰ及びｅＮＢを介するデータベアラであって、ＵＥのデータ通信にセルラ通信（データベアラ＃２−１）及びＷＬＡＮ通信（データベアラ＃２−２）を利用するアグリゲーション用のデータベアラである。【選択図】図７
2018042255.tif 000002
【特許請求の範囲】
【請求項１】
ＬＴＥシステムにおけるセルラ通信及びＷＬＡＮ通信をサポートする通信システムであって、
基地局と、
前記基地局との間に第１のデータベアラを確立するよう構成されるユーザ端末と、
前記ＷＬＡＮ通信を実行するよう構成されるアクセスポイントを制御するよう構成されるノードと、を備え、
前記基地局は、前記基地局と前記ユーザ端末との間に第２のデータベアラが確立される前に、前記基地局と前記ノードとの間のＸｗインターフェイスを介して、前記ＷＬＡＮ通信の要求を前記ノードへ送り、
前記ノードは、前記ＷＬＡＮ通信の要求を受け取り、
前記ノードは、前記ＷＬＡＮ通信の要求に対する応答を前記基地局へ送り、
前記基地局は、前記応答を前記ノードから受け取り、
前記基地局は、前記応答が肯定応答であることに応じて、前記ユーザ端末のデータの通信に前記セルラ通信及び前記ＷＬＡＮ通信を利用するアグリゲーションの設定に関する設定メッセージを前記ユーザ端末へ送信し、
前記第１のデータベアラは、前記アクセスポイントを介さずに前記基地局を介するデータベアラであり、
前記第２のデータベアラは、前記アクセスポイント及び前記基地局を介するデータベアラであって、前記ユーザ端末のデータの通信に前記セルラ通信及び前記ＷＬＡＮ通信を利用する前記アグリゲーション用のデータベアラである通信システム。
【請求項２】
前記基地局は、前記基地局と前記ユーザ端末との間に所定のデータベアラとして前記第２のデータベアラが確立されている状態において、既に確立された前記所定のデータベアラを示すベアラ識別子と、前記ベアラ識別子に対応付けられたタイプ情報とを前記ユーザ端末へ送信し、
前記ユーザ端末は、前記タイプ情報が前記第２のデータベアラから前記第１のデータベアラへの変更を示すものである場合、前記所定のデータベアラを前記第２のデータベアラから前記第１のデータベアラへ変更するための制御を開始する請求項１に記載の通信システム。
【請求項３】
ＬＴＥシステムにおけるセルラ通信及びＷＬＡＮ通信をサポートする通信システムにおける基地局であって、
コントローラと、
トランスミッタと、を備え、
前記コントローラは、
前記基地局との間に第１のデータベアラを確立するよう構成されるユーザ端末と前記基地局との間に第２のデータベアラが確立される前に、前記基地局と前記ノードとの間のＸｗインターフェイスを介して、前記ＷＬＡＮ通信を実行するよう構成されるアクセスポイントを制御するよう構成されるノードへ、前記ＷＬＡＮ通信の要求を送り、且つ、
前記ＷＬＡＮ通信の要求に対する応答を前記基地局へ受け取るよう構成され、
前記トランスミッタは、前記応答が肯定応答であることに応じて、前記ユーザ端末のデータの通信に前記セルラ通信及び前記ＷＬＡＮ通信を利用するアグリゲーションの設定に関する設定メッセージを前記ユーザ端末に送信するよう構成され、
前記第１のデータベアラは、前記アクセスポイントを介さずに前記基地局を介するデータベアラであり、
前記第２のデータベアラは、前記アクセスポイント及び前記基地局を介するデータベアラであって、前記ユーザ端末のデータの通信に前記セルラ通信及び前記ＷＬＡＮ通信を利用する前記アグリゲーション用のデータベアラである基地局。
【請求項４】
ＬＴＥシステムにおけるセルラ通信及びＷＬＡＮ通信をサポートする通信システムにおける基地局を制御するためのプロセッサであって、
前記基地局との間に第１のデータベアラを確立するよう構成されるユーザ端末と前記基地局との間に第２のデータベアラが確立される前に、前記基地局と前記ノードとの間のＸｗインターフェイスを介して、前記ＷＬＡＮ通信を実行するよう構成されるアクセスポイントを制御するよう構成されるノードへ、前記ＷＬＡＮ通信の要求を送る処理と、
前記ＷＬＡＮ通信の要求に対する応答を前記基地局へ受け取る処理と、
前記トランスミッタは、前記応答が肯定応答であることに応じて、前記ユーザ端末のデータの通信に前記セルラ通信及び前記ＷＬＡＮ通信を利用するアグリゲーションの設定に関する設定メッセージを前記ユーザ端末に送信する処理と、を実行し、
前記第１のデータベアラは、前記アクセスポイントを介さずに前記基地局を介するデータベアラであり、
前記第２のデータベアラは、前記アクセスポイント及び前記基地局を介するデータベアラであって、前記ユーザ端末のデータの通信に前記セルラ通信及び前記ＷＬＡＮ通信を利用する前記アグリゲーション用のデータベアラであるプロセッサ。
【発明の詳細な説明】
【技術分野】
【０００１】
本発明は、セルラ・ＷＬＡＮ無線インターワーキング技術をサポートする通信システム、基地局及びプロセッサに関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）は、リリース１２以降において、セルラ・ＷＬＡＮ無線インターワーキング技術をサポートする（非特許文献１及び２参照）。
【０００３】
また、セルラ・ＷＬＡＮ無線インターワーキング技術を高度化するために、ユーザ端末のデータをセルラ通信及びＷＬＡＮ通信を併用して送受信する技術（以下、「セルラ・ＷＬＡＮアグリゲーション」という）の提案がなされている（非特許文献３参照）。
【先行技術文献】
【非特許文献】
【０００４】
【非特許文献１】３ＧＰＰ寄書  「Ｒ２−１４２１３０」
【非特許文献２】３ＧＰＰ寄書  「Ｒ２−１４２９４９」
【非特許文献３】３ＧＰＰ寄書  「ＲＰ−１４０７３８」
【発明の概要】
【０００５】
実施形態に係る通信システムは、ＬＴＥシステムにおけるセルラ通信及びＷＬＡＮ通信をサポートする通信システムである。前記通信システムは、基地局と、前記基地局との間に第１のデータベアラを確立するよう構成されるユーザ端末と、前記ＷＬＡＮ通信を実行するよう構成されるアクセスポイントを制御するよう構成されるノードと、を備える。前記基地局は、前記基地局と前記ユーザ端末との間に第２のデータベアラが確立される前に、前記基地局と前記ノードとの間のＸｗインターフェイスを介して、前記ＷＬＡＮ通信の要求を前記ノードへ送る。前記ノードは、前記ＷＬＡＮ通信の要求を受け取る。前記ノードは、前記ＷＬＡＮ通信の要求に対する応答を前記基地局へ送る。前記基地局は、前記応答を前記ノードから受け取る。前記基地局は、前記応答が肯定応答であることに応じて、前記ユーザ端末のデータの通信に前記セルラ通信及び前記ＷＬＡＮ通信を利用するアグリゲーションの設定に関する設定メッセージを前記ユーザ端末へ送信する。前記第１のデータベアラは、前記アクセスポイントを介さずに前記基地局を介するデータベアラである。前記第２のデータベアラは、前記アクセスポイント及び前記基地局を介するデータベアラであって、前記ユーザ端末のデータの通信に前記セルラ通信及び前記ＷＬＡＮ通信を利用する前記アグリゲーション用のデータベアラである。
実施形態に係る基地局は、ＬＴＥシステムにおけるセルラ通信及びＷＬＡＮ通信をサポートする通信システムにおける基地局である。前記基地局は、コントローラと、トランスミッタと、を備える。前記コントローラは、前記基地局との間に第１のデータベアラを確立するよう構成されるユーザ端末と前記基地局との間に第２のデータベアラが確立される前に、前記基地局と前記ノードとの間のＸｗインターフェイスを介して、前記ＷＬＡＮ通信を実行するよう構成されるアクセスポイントを制御するよう構成されるノードへ、前記ＷＬＡＮ通信の要求を送り、且つ、前記ＷＬＡＮ通信の要求に対する応答を前記基地局へ受け取るよう構成される。前記トランスミッタは、前記応答が肯定応答であることに応じて、前記ユーザ端末のデータの通信に前記セルラ通信及び前記ＷＬＡＮ通信を利用するアグリゲーションの設定に関する設定メッセージを前記ユーザ端末に送信するよう構成される。前記第１のデータベアラは、前記アクセスポイントを介さずに前記基地局を介するデータベアラである。前記第２のデータベアラは、前記アクセスポイント及び前記基地局を介するデータベアラであって、前記ユーザ端末のデータの通信に前記セルラ通信及び前記ＷＬＡＮ通信を利用する前記アグリゲーション用のデータベアラである。
実施形態に係るプロセッサは、ＬＴＥシステムにおけるセルラ通信及びＷＬＡＮ通信をサポートする通信システムにおける基地局を制御するためのプロセッサである。前記プロセッサは、前記基地局との間に第１のデータベアラを確立するよう構成されるユーザ端末と前記基地局との間に第２のデータベアラが確立される前に、前記基地局と前記ノードとの間のＸｗインターフェイスを介して、前記ＷＬＡＮ通信を実行するよう構成されるアクセスポイントを制御するよう構成されるノードへ、前記ＷＬＡＮ通信の要求を送る処理と、前記ＷＬＡＮ通信の要求に対する応答を前記基地局へ受け取る処理と、前記トランスミッタは、前記応答が肯定応答であることに応じて、前記ユーザ端末のデータの通信に前記セルラ通信及び前記ＷＬＡＮ通信を利用するアグリゲーションの設定に関する設定メッセージを前記ユーザ端末に送信する処理と、を実行する。前記第１のデータベアラは、前記アクセスポイントを介さずに前記基地局を介するデータベアラである。前記第２のデータベアラは、前記アクセスポイント及び前記基地局を介するデータベアラであって、前記ユーザ端末のデータの通信に前記セルラ通信及び前記ＷＬＡＮ通信を利用する前記アグリゲーション用のデータベアラである。
【図面の簡単な説明】
【０００６】
【図１】図１は、第１実施形態に係るシステム構成を示す図である。
【図２】図２は、第１実施形態に係るＵＥのブロック図である。
【図３】図３は、第１実施形態に係るｅＮＢのブロック図である。
【図４】図４は、第１実施形態に係るＡＰのブロック図である。
【図５】図５は、ＬＴＥ無線インターフェイスのプロトコルスタック図である。
【図６】図６は、第１実施形態に係るＵＥ主導型の切り替え制御の基本動作を示す図である。
【図７】図７は第１実施形態に係るセルラ・ＷＬＡＮアグリゲーションの基本動作を示す図である。
【図８】図８は、第１実施形態に係る動作環境を説明するための図である。
【図９】図９は、第１実施形態に係る動作を説明するためのシーケンス図である。
【図１０】図１０は、第３実施形態に係る動作を説明するためのフローチャートである。
【図１１】図１１は、第３実施形態に係るＵＥ１００の動作を説明するためのシーケンス図である。
【図１２】図１２は、第４実施形態に係るＡＧエンティティを説明するための図である。
【図１３】図１３は、第４実施形態に係るＡＧエンティティの動作を説明するためのシーケンス図である。
【発明を実施するための形態】
【０００７】
［実施形態の概要］
上述したセルラ・ＷＬＡＮアグリゲーションは、未だ構想段階であって、かつ、リリース１２で導入されるセルラ・ＷＬＡＮ無線インターワーキング技術とは異なる点が多い。
【０００８】
そこで、本発明は、セルラ・ＷＬＡＮアグリゲーションが導入された場合に効率的な制御を実現可能なユーザ端末及びアクセスポイントを提供することを目的とする。
【０００９】
第１実施形態に係るユーザ端末は、セルラ通信及びＷＬＡＮ通信をサポートする。前記ユーザ端末は、当該ユーザ端末のデータを前記セルラ通信及び前記ＷＬＡＮ通信を併用して送受信するセルラ・ＷＬＡＮアグリゲーションを実行するための設定を前記ユーザ端末に要求する第１のメッセージを基地局から受信するレシーバと、前記設定が完了したことを示す第２のメッセージを前記基地局に送信するトランスミッタと、を備える。前記トランスミッタは、前記ＷＬＡＮ通信をサポートするアクセスポイントに関する所定条件が満たされた場合に、前記第２のメッセージを送信する。
【００１０】
第１実施形態において、前記トランスミッタは、前記アクセスポイントとの接続を完了した場合に、前記所定条件が満たされたとして、前記第２のメッセージを送信する。
【００１１】
第１実施形態において、前記トランスミッタは、前記アクセスポイントとの接続を完了した後、前記アクセスポイントとの前記ＷＬＡＮ通信が可能である場合に、前記所定条件が満たされたとして、前記第２のメッセージを送信する。
【００１２】
第１実施形態において、前記トランスミッタは、前記アクセスポイントからの無線信号に関する測定に基づいて、前記アクセスポイントとの接続が可能である場合に、前記所定条件が満たされたとして、前記第２のメッセージを送信する。
【００１３】
第１実施形態において、前記トランスミッタは、前記ＷＬＡＮ通信で利用される周波数帯における干渉レベルが閾値未満である場合に、前記所定条件が満たされたとして、前記第２のメッセージを送信する。
【００１４】
第１及び第２実施形態では、前記トランスミッタは、前記所定条件が満たされない場合に、前記所定条件が満たされないことを示すための第３のメッセージを前記基地局に送信する。
【００１５】
第１実施形態では、前記第３のメッセージは、前記所定条件が満たされない理由を含む。
【００１６】
第１実施形態では、前記トランスミッタは、前記第１のメッセージを受信してから所定時間経過するまで、又は、前記所定条件が満たされないと判定した回数が所定値を超えるまで、前記第３のメッセージを送信しない。
【００１７】
第１及び２実施形態に係るユーザ端末は、前記ＷＬＡＮ通信が可能であるか否かを判定するコントローラをさらに備える。前記トランスミッタは、前記第２のメッセージを送信した後に、前記ＷＬＡＮ通信が不能である場合又は前記ＷＬＡＮ通信が不能になった場合に、前記ＷＬＡＮ通信が不能である旨を示す通知及び／又は前記ＷＬＡＮ通信における無線リンク障害が発生したことを示す無線リンク障害報告を前記基地局に送信する。
【００１８】
第１実施形態では、前記コントローラは、前記アクセスポイントへ接続要求を送信した後、前記アクセスポイントから前記接続要求が拒否された場合に、前記ＷＬＡＮ通信が不能であると判定する。
【００１９】
第１実施形態では、前記第１のメッセージは、ＲＲＣ  Ｃｏｎｎｅｃｉｔｏｎ  Ｒｅｃｏｎｆｉｇｕｒａｔｉｏｎメッセージである。前記第２のメッセージは、ＲＲＣ  Ｃｏｎｎｅｃｉｔｏｎ  Ｒｅｃｏｎｆｉｇｕｒａｔｉｏｎ  Ｃｏｍｐｌｅｔｅメッセージである。
【００２０】
第３実施形態に係るユーザ端末は、セルラ通信及びＷＬＡＮ通信をサポートする。前記ユーザ端末は、基地局の無線信号に関する第１測定結果及びアクセスポイントの無線信号に関する第２測定結果を取得する制御と、セルラ通信ネットワークとＷＬＡＮとの間で前記ユーザ端末の通信経路を切り替える切替処理を制御する上位局に対して、前記第１測定結果及び前記第２測定結果が、前記セルラ通信ネットワークから前記ＷＬＡＮへ前記通信経路を切り替えるための所定条件を満たした場合に、前記アクセスポイントの識別子を通知する制御と、前記アクセスポイントの識別子の通知を受けた前記上位局からの指示に基づいて、前記基地局を介する通信経路から前記アクセスポイントを介する通信経路へと切り替える制御と、を実行するコントローラを備える。前記コントローラは、前記基地局からの測定設定情報に基づいて前記アクセスポイントの無線信号を測定している場合には、前記上位レイヤに対して前記アクセスポイントの識別子を通知する前に、前記第２測定結果を前記基地局に通知する制御を実行する。
【００２１】
第３実施形態では、前記コントローラは、前記第２測定結果と共に、前記第１の測定結果を前記基地局に通知する制御を実行する。
【００２２】
第３実施形態では、前記コントローラは、前記アクセスポイントが前記ユーザ端末のデータを前記セルラ通信及び前記ＷＬＡＮ通信を併用して送受信するセルラ・ＷＬＡＮアグリゲーションの対象である場合に、前記第２測定結果を前記基地局に通知する制御を実行し、前記アクセスポイントが前記セルラ・ＷＬＡＮアグリゲーションの対象でない場合に、前記上位レイヤに対して前記アクセスポイントの識別子を通知する制御を実行する。
【００２３】
第３実施形態では、前記コントローラは、前記第２測定結果を前記基地局に通知してから所定時間経過するまで、前記上位レイヤに対して前記アクセスポイントの識別子を通知しない。
【００２４】
第３実施形態では、前記コントローラは、前記第２測定結果を前記基地局に通知してから前記通知に基づくメッセージを前記基地局から受信するまで、前記上位レイヤに対して前記アクセスポイントの識別子を通知しない。
【００２５】
第３実施形態では、前記コントローラは、前記第２測定結果を前記基地局に通知した場合には、前記上位レイヤに対する前記アクセスポイントの識別子の通知を中止する。
【００２６】
第３実施形態では、前記コントローラは、前記アクセスポイントが複数の周波数帯のそれぞれにおいて前記無線信号を送信している場合、前記複数の周波数帯のそれぞれにおいて前記無線信号を測定する制御を実行する。
【００２７】
第３実施形態では、前記コントローラは、前記ＷＬＡＮにおいて利用される周波数帯における干渉状況を測定する制御をさらに実行する。前記コントローラは、前記第２測定結果と共に、前記干渉状況の測定結果を前記基地局に通知する制御を実行する。
【００２８】
第３実施形態では、前記コントローラは、前記アクセスポイントとの接続を完了した後に、前記第２測定結果を前記基地局に通知する制御を実行する。
【００２９】
第４実施形態に係るアクセスポイントは、ＷＬＡＮ通信をサポートする。前記アクセスポイントは、ユーザ端末のデータをセルラ通信及び前記ＷＬＡＮ通信を併用して送受信するセルラ・ＷＬＡＮアグリゲーションを制御するエンティティの機能を実行するコントローラと、前記アクセスポイントへの接続要求をユーザ端末から受信するレシーバと、を備える。前記エンティティは、前記ユーザ端末が前記セルラ・ＷＬＡＮアグリゲーションの対象であることを示す所定情報を前記接続要求が含む場合、前記ユーザ端末に対して、前記セルラ・ＷＬＡＮアグリゲーションの制御を開始する。
【００３０】
第４実施形態に係るアクセスポイントは、前記セルラ・ＷＬＡＮアグリゲーションの対象となるユーザ端末に割り当てられた照合情報を記憶する記憶部をさらに備える。前記エンティティは、前記所定情報が前記照合情報と一致した場合に、前記ユーザ端末に対して、前記セルラ・ＷＬＡＮアグリゲーションの制御を開始する。
【００３１】
第４実施形態では、前記照合情報は、前記セルラ通信をサポートする基地局が前記ユーザ端末に対して割り当てた情報である。前記記憶部は、前記照合情報を含む前記セルラ・ＷＬＡＮアグリゲーションの実行要求を前記基地局から受信した場合に、前記照合情報を記憶する。
【００３２】
第４実施形態では、前記エンティティは、前記セルラ・ＷＬＡＮアグリゲーションの実行要求を前記基地局から受信した場合に、当該実行要求において前記セルラ・ＷＬＡＮアグリゲーションの対象となるユーザ端末に対して照合情報を割り当てて、当該照合情報を前記記憶部に記憶させる。前記エンティティは、前記実行要求に対する応答に前記照合情報含めて前記基地局に送信する。
【００３３】
第４実施形態では、前記接続要求が前記セルラ・ＷＬＡＮアグリゲーションのための要求である。
【００３４】
第４実施形態では、前記所定情報は、前記セルラ・ＷＬＡＮアグリゲーションにおいて前記ユーザ端末が前記セルラ通信を行う対象となる基地局及び／又はセルを示す識別情報である。前記エンティティは、前記識別情報に基づいて、前記セルラ・ＷＬＡＮアグリゲーションにおける前記ユーザ端末のデータを前記基地局と送受信する制御を実行する。
【００３５】
第４実施形態に係るユーザ端末は、セルラ通信及びＷＬＡＮ通信をサポートする。前記ユーザ端末は、前記ＷＬＡＮ通信をサポートするアクセスポイントへの接続要求を当該アクセスポイントに送信するトランスミッタと、前記接続要求を、前記ユーザ端末のデータを前記セルラ通信及び前記ＷＬＡＮ通信を併用して送受信するセルラ・ＷＬＡＮアグリゲーションを実行するために送信する場合、前記接続要求に、前記ユーザ端末が前記セルラ・ＷＬＡＮアグリゲーションの対象であることを示す所定情報を含ませるコントローラと、を備える。
【００３６】
第４実施形態に係るアクセスポイントは、ＷＬＡＮ通信をサポートする。前記アクセスポイントは、セルラ通信をサポートする基地局から、ユーザ端末のデータを前記セルラ通信及び前記ＷＬＡＮ通信を併用して送受信するセルラ・ＷＬＡＮアグリゲーションの実行要求を受信するレシーバと、前記ＷＬＡＮ通信で利用される周波数帯における干渉レベルが閾値未満である場合にのみ、前記実行要求に対して肯定応答を送信するトランスミッタと、を備える。
【００３７】
第５実施形態に係るユーザ端末は、セルラ通信及びＷＬＡＮ通信をサポートする。前記ユーザ端末は、アクセスポイントを介さずに基地局を介する第１のデータベアラが確立されている状態において、前記アクセスポイント及び前記基地局を介するデータベアラであって前記ユーザ端末のデータを前記セルラ通信及び前記ＷＬＡＮ通信を併用して送受信するセルラ・ＷＬＡＮアグリゲーション用の第２のデータベアラを確立するための確立情報を前記基地局から受信するレシーバと、前記確立情報に含まれるベアラ識別子が、既に確立されている前記第１のデータベアラを示すベアラ識別子と一致する場合、前記確立情報に含まれる前記ベアラ識別子に対応する前記第１のデータベアラを解放して第２のデータベアラを新たに確立する制御を開始するコントローラと、を備える。
【００３８】
第５実施形態では、前記確立情報は、前記ベアラ識別子に対応付けられたベアラタイプ情報を含む。前記ベアラタイプ情報は、前記第２データベアラのタイプを示す。
【００３９】
第５実施形態では、前記レシーバは、前記第２のデータベアラが確立されている状態において、当該第２のデータベアラを解放するための解放情報を前記基地局から受信する。前記コントローラは、前記解放情報に含まれるベアラ識別子に対応する前記第２のデータベアラを解放して前記第１のデータベアラを新たに確立する制御を開始する。
【００４０】
第５実施形態では、前記解放情報は、前記ベアラ識別子に対応付けられたベアラタイプ情報を含む。前記ベアラタイプ情報は、前記第１のデータベアラのタイプを示す。
【００４１】
第５実施形態では、前記レシーバは、前記第２のデータベアラを解放するための前記解放情報と共に、前記第１のデータベアラを解放するための他の解放情報を前記基地局から受信する。前記コントローラは、前記解放情報に含まれる前記ベアラ識別子と前記他の解放情報に含まれるベアラ識別子とが一致する場合、前記解放情報に含まれる前記ベアラ識別子に対応する前記第２のデータベアラを解放する制御を開始し、前記第１のデータベアラを新たに確立する制御を省略する。
【００４２】
第５実施形態では、前記レシーバは、前記第２のデータベアラが確立されている状態において、第２のデータベアラを確立するための新たな確立情報を受信する。前記新たな確立情報は、前記アクセスポイントと異なる他のアクセスポイントを示す識別子又は前記アクセスポイントが使用する周波数帯と異なる他の周波数帯を示す情報の少なくとも一方を含む。前記コントローラは、前記新たな確立情報に含まれるベアラ識別子が、既に確立されている前記第２のデータベアラを示すベアラ識別子と一致する場合、前記新たな確立情報に含まれるベアラ識別子に対応する前記第２のデータベアラを解放して、前記他のアクセスポイント又は前記他の周波数帯を利用した新たな第２のデータベアラを確立する制御を開始する。
【００４３】
［第１実施形態］
以下、図面を参照して、３ＧＰＰ規格に準拠して構成されるセルラ通信システムであるＬＴＥシステムを無線ＬＡＮ（ＷＬＡＮ）システムと連携させる場合の実施形態を説明する。
【００４４】
（システム構成）
図１は、第１実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００４５】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００４６】
ＵＥ１００は、移動型の無線通信装置である。ＵＥ１００はユーザ端末に相当する。ＵＥ１００は、セルラ通信及びＷＬＡＮ通信の両通信方式をサポートする端末（デュアル端末）である。
【００４７】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルに在圏するＵＥ１００との無線通信を行う。「セル」は、無線通信エリアの最小単位を示す用語として使用される他に、ＵＥ１００との無線通信を行う機能（リソース）を示す用語としても使用される。ｅＮＢ２００は、無線リソース管理（ＲＲＭ）機能、ユーザデータのルーティング機能、モビリティ制御及びスケジューリングのための測定制御機能等を有する。
【００４８】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００４９】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００５０】
ＷＬＡＮ３０は、ＷＬＡＮアクセスポイント（以下「ＡＰ」という）３００を含む。ＡＰ３００は、例えばＬＴＥシステムのネットワーク・オペレータにより管理されるＡＰ（Ｏｐｅｒａｔｏｒ  ｃｏｎｔｒｏｌｌｅｄ  ＡＰ）である。
【００５１】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００５２】
ｅＮＢ２００及びＡＰ３００が個別のノードである場合に限らず、ｅＮＢ２００及びＡＰ３００が同一のノードとして一体化（Ｃｏｌｌｏｃａｔｅｄ）されていてもよい。セルラ通信及びＷＬＡＮ通信をサポートするセルラ・ＷＬＡＮ一体型のｅＮＢ２００（以下、「セルラ・ＷＬＡＮ一体型ｅＮＢ２００」という）の構成については後述する。
【００５３】
或いは、ｅＮＢ２００及びＡＰ３００が直接的なインターフェイスを介して相互接続されていてもよい。
【００５４】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＷＬＡＮ３０に関するＡＮＤＳＦ情報をＵＥ１００に提供する。
【００５５】
次に、ＵＥ１００、ｅＮＢ２００及びＡＰ３００の構成を説明する。
【００５６】
図２は、ＵＥ１００のブロック図である。図２に示すように、ＵＥ１００は、アンテナ１０１及び１０２と、セルラ送受信機（トランスミッタ／レシーバ）１１１と、ＷＬＡＮ送受信機（トランスミッタ／レシーバ）１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を含む。メモリ１５０及びプロセッサ１６０は、制御部（コントローラ）を構成する。ＵＥ１００は、ユーザインターフェイス１２０及びＧＮＳＳ受信機１３０を有していなくてもよい。また、メモリ１５０をプロセッサ１６０と一体化し、このセット（すなわち、チップセット）をプロセッサ１６０’としてもよい。
【００５７】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００５８】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００５９】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００６０】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００６１】
図３は、ｅＮＢ２００のブロック図である。図３に示すように、ｅＮＢ２００は、アンテナ２０１と、セルラ送受信機（トランスミッタ／レシーバ）２１１と、ネットワークインターフェイス（トランスミッタ／レシーバ）２２０と、メモリ２３０と、プロセッサ２４０と、を含む。メモリ２３０及びプロセッサ２４０は、制御部（コントローラ）を構成する。また、メモリ２３０をプロセッサ２４０と一体化し、このセット（すなわち、チップセット）をプロセッサとしてもよい。
【００６２】
アンテナ２０１及びセルラ送受信機２１１は、セルラ無線信号の送受信に用いられる。セルラ送受信機２１１は、プロセッサ２４０が出力するベースバンド信号をセルラ無線信号に変換してアンテナ２０１から送信する。また、セルラ送受信機２１１は、アンテナ２０１が受信するセルラ無線信号をベースバンド信号に変換してプロセッサ２４０に出力する。
【００６３】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。ネットワークインターフェイス２２０は、直接的なインターフェイスを介してＡＰ３００と接続されていてもよい。
【００６４】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００６５】
なお、ｅＮＢ２００がセルラ・ＷＬＡＮ一体型である場合、ｅＮＢ２００は、アンテナ２０２と、ＷＬＡＮ送受信機２１２と、をさらに含む。アンテナ２０２及びＷＬＡＮ送受信機２１２は、ＷＬＡＮ無線信号の送受信に用いられる。ＷＬＡＮ送受信機２１２は、プロセッサ２４０が出力するベースバンド信号をＷＬＡＮ無線信号に変換してアンテナ２０２から送信する。また、ＷＬＡＮ送受信機２１２は、アンテナ２０２が受信するＷＬＡＮ無線信号をベースバンド信号に変換してプロセッサ２４０に出力する。
【００６６】
図４は、ＡＰ３００のブロック図である。図４に示すように、ＡＰ３００は、アンテナ３０１と、ＷＬＡＮ送受信機（トランスミッタ／レシーバ）３１１と、ネットワークインターフェイス（トランスミッタ／レシーバ）３２０と、メモリ３３０と、プロセッサ３４０と、を有する。メモリ３３０及びプロセッサ３４０は、制御部（コントローラ）を構成するメモリ３３０をプロセッサ３４０と一体化し、このセット（すなわち、チップセット）をプロセッサとしてもよい。
【００６７】
アンテナ３０１及びＷＬＡＮ送受信機３１１は、ＷＬＡＮ無線信号の送受信に用いられる。ＷＬＡＮ送受信機３１１は、プロセッサ３４０が出力するベースバンド信号をＷＬＡＮ無線信号に変換してアンテナ３０１から送信する。また、ＷＬＡＮ送受信機３１１は、アンテナ３０１が受信するＷＬＡＮ無線信号をベースバンド信号に変換してプロセッサ３４０に出力する。
【００６８】
ネットワークインターフェイス３２０は、直接的なインターフェイスを介してｅＮＢ２００と接続される。
【００６９】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号等を行うベースバンドプロセッサと、メモリ３３０に記憶されるプログラムを実行して各種の処理を行うＣＰＵと、を有する。プロセッサ３４０は、後述する各種の処理を実行する。
【００７０】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００７１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００７２】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００７３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００７４】
ＰＤＣＰ層は、ヘッダ圧縮・伸張、及び暗号化・復号化を行う。
【００７５】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００７６】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＭＭＥ３００は、ＮＡＳメッセージをＵＥ１００と送受信する。
【００７７】
また、ＬＴＥシステムでは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００７８】
無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００７９】
（端末主導型の切り替え制御の基本動作）
３ＧＰＰのリリース１２以降において、セルラ・ＷＬＡＮ無線インターワーキング技術がサポートされている（非特許文献１及び２参照）。このような技術では、ＲＲＣコネクティッド状態又はＲＲＣアイドル状態のＵＥ１００は、Ｅ−ＵＴＲＡＮ１０とＷＬＡＮ３０との間で双方向のトラフィック切り替え（ネットワークセレクション及びトラフィック・ステアリング）を行う。
【００８０】
当該トラフィック切り替えは、Ｅ−ＵＴＲＡＮ１０の補助により、ＵＥ１００主導（ＵＥ  ｂａｓｅｄ）で行われる。また、当該トラフィック切り替えは、ＡＰＮ（Ａｃｃｅｓｓ  Ｐｏｉｎｔ  Ｎａｍｅ）単位で行われる。以下において、このような切り替え制御を「ＵＥ主導型の切り替え制御」と称する。
【００８１】
図６は、ＵＥ主導型の切り替え制御の基本動作を示す図である。
【００８２】
図６に示すように、ステップＳ１１において、Ｅ−ＵＴＲＡＮ１０は、ブロードキャストＲＲＣシグナリング又は個別（ｄｅｄｉｃａｔｅｄ）ＲＲＣシグナリングにより、補助情報（ＲＡＮ  ａｓｓｉｓｔａｎｃｅ  ｐａｒａｍｅｔｅｒｓ）をＵＥ１００に送信する。ブロードキャストＲＲＣシグナリングは、例えばＳＩＢ（Ｓｙｓｔｅｍ  Ｉｎｆｏｒｍａｔｉｏｎ  Ｂｌｏｃｋ）である。個別ＲＲＣシグナリングは、例えばＲＲＣ  Ｃｏｎｎｅｃｔｉｏｎ  Ｒｅｃｏｎｆｉｇｕｒａｔｉｏｎメッセージである。
【００８３】
補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ＵＥ主導型の切り替え制御の対象となるＷＬＡＮ識別子を含んでもよい。ＷＬＡＮ識別子は、ＳＳＩＤ、ＢＳＳＩＤ、ＨＥＳＳＩＤ等である。補助情報は、閾値（判定条件）が満たされるべき期間を指定するパラメータを含んでもよい。
【００８４】
ＵＥ主導型の切り替え制御をサポートするＵＥ１００は、補助情報を受信し、受信した補助情報を記憶する。ＵＥ１００は、セル再選択又はハンドオーバを行う際に、記憶している補助情報を破棄してもよい。
【００８５】
ステップＳ１２において、ＵＥ１００は、ＵＥ主導型の切り替え制御を行う。
【００８６】
先ず、セルラ通信からＷＬＡＮ通信への切り替え、すなわち、Ｅ−ＵＴＲＡＮ１０からＷＬＡＮ３０への切り替えの一例について説明する。ＵＥ１００は、セルラに関する第１の判定条件及びＷＬＡＮに関する第２の判定条件に基づいて、セルラ通信からＷＬＡＮ通信に切り替えるか否かの切り替え判定を行う。具体的には、第１の判定条件及び第２の判定条件の両方が満たされた場合、ＵＥ１００は、セルラ通信からＷＬＡＮ通信への切り替えを行う。
【００８７】
RSRPmeas  <  ThreshServingOffloadWLAN,  LowP;  or
RSRQmeas  <  ThreshServingOffloadWLAN,  LowQ;
【００８８】
ここで、「ＲＳＲＰｍｅａｓ」はＵＥ１００で測定するセルラ受信信号の受信電力、すなわち参照信号受信電力（ＲＳＲＰ）である。「ＲＳＲＱｍｅａｓ」はＵＥ１００で測定するセルラ受信信号の受信品質、すなわち参照信号受信品質（ＲＳＲＱ）である。「ThreshServingOffloadWLAN,  LowP」及び「ThreshServingOffloadWLAN,  LowQ」は、補助情報に含まれており、ＷＬＡＮ３０に切り替えるための閾値である。
【００８９】
第２の判定条件は、ターゲットＷＬＡＮに対する以下の条件である。
【００９０】
ChannelUtilizationWLAN  <  ThreshChUtilWLAN,  Low;  and
BackhaulRateDlWLAN  >  ThreshBackhRateDLWLAN,  High;  and
BackhaulRateUlWLAN  >  ThreshBackhRateULWLAN,  High;  and
BeaconRSSI  >  ThreshBeaconRSSIWLAN,  High;
【００９１】
ここで、「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Ａｃｃｅｓｓ  Ｎｅｔｗｏｒｋ  Ｑｕｅｒｙ  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩは、ＵＥ１００で測定するビーコン信号の受信信号強度を示す。「ThreshChUtilWLAN,  Low」、「ThreshBackhRateDLWLAN,  High」、「ThreshBackhRateULWLAN,  High」、「ThreshBeaconRSSIWLAN,  High」は、補助情報に含まれており、ＷＬＡＮ３０に切り替えるための閾値である。
【００９２】
なお、ＵＥ１００は、セルラ通信からＷＬＡＮ通信への切り替えを行う場合、Ｅ−ＵＴＲＡＮ１０とＷＬＡＮ３０との間で双方向のトラフィック切り替えを制御する上位局（ｈｉｇｈｅｒ  ｌａｙｅｒ／ｕｐｐｅｒ  ｌａｙｅｒ）に対して、第２の判定条件を満たしたＡＰ３００の識別子（ＷＬＡＮ識別子）（のリスト（ｌｉｓｔ  ｏｆ  ＷＬＡＮ  ｉｄｅｎｔｉｆｉｅｒｓ））と共に、ＷＬＡＮ通信へのトラフィック切り替えを示す情報（ｍｏｖｅ−ｔｒａｆｆｉｃ−ｔｏ−ＷＬＡＮ  ｉｎｄｉｃａｔｉｏｎ）を通知する。具体的には、ＵＥ１００内のＡＳレイヤが、ＷＬＡＮ識別子（及び当該情報）をＵＥ１００内のＮＡＳレイヤに通知し、ＵＥ１００内のＮＡＳレイヤが、ＮＡＳプロシージャを用いて、上位局（ＭＭＥ）に通知する。ＵＥ１００は、ＷＬＡＮ識別子の通知を受けた上位局からの指示に基づいて、セルラ通信からＷＬＡＮ通信への切り替え（ｅＮＢ２００を介する通信経路からＡＰ３００を介する通信経路への切り替え）を行う制御を実行する。
【００９３】
次に、ＷＬＡＮ通信からセルラ通信への切り替え、すなわち、ＷＬＡＮ３０からＥ−ＵＴＲＡＮ１０への切り替えの一例について説明する。ＵＥ１００は、セルラに関する第３の判定条件及びＷＬＡＮに関する第４の判定条件に基づいて、ＷＬＡＮ通信からセルラ通信に切り替えるか否かの切り替え判定を行う。具体的には、第３の判定条件又は第４の判定条件の一方が満たされた場合、ＵＥ１００は、ＷＬＡＮ通信からセルラ通信への切り替えを行う。
【００９４】
第３の判定条件は、Ｅ−ＵＴＲＡＮターゲットセルに対する以下の条件である。
【００９５】
RSRPmeas  >  ThreshServingOffloadWLAN,  HighP;  and
RSRQmeas  >  ThreshServingOffloadWLAN,  HighQ;
【００９６】
ここで、「ThreshServingOffloadWLAN,  HighQ」及び「ThreshServingOffloadWLAN,  HighQ」は、補助情報に含まれており、Ｅ−ＵＴＲＡＮ１０に切り替えるための閾値である。
【００９７】
第４の判定条件は、ソースＷＬＡＮに対する以下の条件である。
【００９８】
ChannelUtilizationWLAN  >  ThreshChUtilWLAN,  High;  or
BackhaulRateDlWLAN  <  ThreshBackhRateDLWLAN,  Low;  or
BackhaulRateUlWLAN  <  ThreshBackhRateULWLAN,  Low;  or
BeaconRSSI  <  ThreshBeaconRSSIWLAN,  Low;
【００９９】
ここで、「ThreshChUtilWLAN,  High」、「ThreshBackhRateDLWLAN,  Low」、「ThreshBackhRateULWLAN,  Low」、「ThreshBeaconRSSIWLAN,  Low」は、補助情報に含まれており、Ｅ−ＵＴＲＡＮ１０に切り替えるための閾値である。
【０１００】
（セルラ・ＷＬＡＮアグリゲーションの基本動作）
セルラ・ＷＬＡＮアグリゲーションの基本動作について図７を用いて説明する。図７は、セルラ・ＷＬＡＮアグリゲーションの基本動作を示す図である。
【０１０１】
セルラ・ＷＬＡＮアグリゲーションは、ＵＥ１００のデータ（トラフィック）をセルラ通信及びＷＬＡＮ通信を併用して送受信する通信方式である。具体的には、セルラ・ＷＬＡＮアグリゲーションでは、同一の又は異なるデータベアラに属するトラフィック（ユーザデータ）をセルラ通信及びＷＬＡＮ通信を併用して送受信する。
【０１０２】
図７において、ＵＥ１００とＳ−ＧＷ５００（ＥＰＣ２０）との間には、ＡＰ３００を介さずにｅＮＢ２００を介するデータベアラ♯１（第１のデータベアラ）と、ＡＰ３００及びｅＮＢ２００を介するデータベアラ♯２（第２のデータベアラ）と、が確立されている。なお、セルラ・ＷＬＡＮアグリゲーションが実行されている場合、データベアラ♯２のみが確立されていてもよいし、データベアラ♯１とデータベアラ♯２との両方が確立されていてもよい。
【０１０３】
データベアラ♯１は、通常のセルラ通信用のデータベアラである。一方、データベアラ♯２は、セルラ・ＷＬＡＮアグリゲーション用のデータベアラである。データベアラ♯２は、ｅＮＢ２００（例えば、ＰＤＣＰ層）において分割（ｓｐｌｉｔ）される。分割された一方（データベアラ♯２−１）は、ＡＰ３００を介さずにＵＥ１００で終端しており、分割された他方（データベアラ♯２−２）は、ＡＰ３００を介してＵＥ１００で終端する。なお、データベアラ♯２−２は、ＡＰ３００だけでなく（複数の）ＡＰ３００を収容するＷＬＡＮ  ＧＷ（ゲートウェイ装置）及び介してＵＥ１００で終端してもよい。
【０１０４】
ＵＥ１００は、セルラ・ＷＬＡＮアグリゲーションを実行している場合、少なくともデータベアラ♯２を用いてデータの送受信を行う。
【０１０５】
具体的には、セルラ・ＷＬＡＮアグリゲーションが実行されている場合、下りリンクにおいて、ｅＮＢ２００は、データベアラ♯２に属するデータをセルラ通信により送信するデータ（セルラ側データ）とＷＬＡＮ通信により送信するデータ（ＷＬＡＮ側データ）と分ける。ｅＮＢ２００は、セルラ側データを、データベアラ♯２−１によってセルラ通信によりＵＥ１００に送信する。一方、ｅＮＢ２００は、ＷＬＡＮ側データを、直接的な通信路を用いて、ＡＰ３００に送信する。ＡＰ３００は、ｅＮＢ２００から受信したＷＬＡＮ側データを、データベアラ♯２−２によってＷＬＡＮ通信によりＵＥ１００に送信する。
【０１０６】
一方、上りリンクにおいて、ＵＥ１００は、データベアラ♯２に属するデータをセルラ通信により送信するデータ（セルラ側データ）とＷＬＡＮ通信により送信するデータ（ＷＬＡＮ側データ）とに分ける。ＵＥ１００は、セルラ側データを、データベアラ♯２−１によってセルラ通信によりｅＮＢ２００に送信する。一方、ＵＥ１００は、ＷＬＡＮ側データを、データベアラ♯２−２によってＷＬＡＮ通信によりＡＰ３００に送信する。ＡＰ３００は、ＵＥ１００から受信したＷＬＡＮ側データを、直接的な通信路を用いて、ｅＮＢ２００に送信する。ｅＮＢ２００は、ＵＥ１００から受信したセルラ側データとＡＰ３００から受信したＷＬＡＮ側データとを結合（再構築）してＳ−ＧＷ５００に送信する。
【０１０７】
なお、セルラ・ＷＬＡＮアグリゲーションにおいて、データベアラ♯２に属する全てのデータがセルラ通信により送受信されてもよいし、データベアラ♯２に属する全てのデータがＷＬＡＮ通信により送受信されてもよい。
【０１０８】
また、ｅＮＢ２００とＡＰ３００とが別であるケースを例に挙げて説明したが、ｅＮＢ２００が、セルラ・ＷＬＡＮ一体型ｅＮＢ２００であってもよい。
【０１０９】
（第１実施形態に係る動作）
次に、第１実施形態に係る動作について図８及び図９を用いて説明する。図８は、第１実施形態に係る動作環境を説明するための図である。図９は、第１実施形態に係る動作を説明するためのシーケンス図である。
【０１１０】
図８に示すように、ＲＲＣコネクティッド状態又はＲＲＣアイドル状態であるＵＥ１００は、ｅＮＢ２００のセル内に位置すると共に、ＵＥ１００は、ＡＰ３００のカバレッジ内に位置する。ＡＰ３００のカバレッジの全部は、ｅＮＢ２００のセル（カバレッジ）と重複してもよいし、ＡＰ３００のカバレッジの一部が、ｅＮＢ２００のセル（カバレッジ）と重複してもよい。ｅＮＢ２００とＡＰ３００との間には、コアネットワークを介さない直接的な通信路（インターフェイス）が設けられている。ｅＮＢ２００とＡＰ３００とは、直接的な通信路を用いて、情報のやり取りを行うことができる。
【０１１１】
図９に示すように、ステップＳ１０１において、ｅＮＢ２００は、ＡＰ３００からの無線信号を測定させるための測定設定情報（Ｍｅａｓｕｒｅｍｅｎｔ  Ｃｏｎｆｉｇｕｌａｔｉｏｎ）をＵＥ１００に送信できる。ｅＮＢ２００は、測定設定情報をＲＲＣ  Ｃｏｎｎｅｃｔｉｏｎ  Ｒｅｃｏｎｆｉｇｕｒａｔｉｏｎメッセージによって送信してもよい。或いは、ｅＮＢ２００は、測定設定情報をＳＩＢによって送信してもよい。ＵＥ１００は、測定設定情報に基づいて、ＡＰ３００からの無線信号を測定するための設定を行い、ステップＳ１０２の処理を開始する。
【０１１２】
なお、ｅＮＢ２００は、測定設定情報の代わりに、補助情報（ＲＡＮ  ａｓｓｉｓｔａｎｃｅ  ｐａｒａｍｅｔｅｒｓ）をＵＥ１００に送信してもよい。
【０１１３】
なお、ステップＳ１０１は、省略されてもよい。この場合、ＵＥ１００は、自律的にステップＳ１０２の処理を開始する。
【０１１４】
ステップＳ１０２において、ＵＥ１００は、ＡＰ３００からの無線信号を測定する。例えば、ＵＥ１００は、ＡＰ３００からの無線信号の受信強度を示す情報（ＲＣＰＩ：Ｒｅｃｅｉｖｅｄ  Ｃｈａｎｎｅｌ  Ｐｏｗｅｒ  Ｉｎｄｉｃａｔｏｒ）、ＡＰ３００からの無線信号の受信品質を示す情報（ＲＳＮＩ：Ｒｅｃｅｉｖｅｄ  Ｓｉｇｎａｌ  ｔｏ  Ｎｏｉｓｅ  Ｉｎｄｉｃａｔｏｒ）、ＡＰ２００が送信したビーコン信号（パイロット信号）の受信電力を示す情報（Ｂｅａｃｏｎ  ＲＳＳＩ）などを測定する。これにより、ＵＥ１００は、ＡＰ３００からの無線信号に関する測定結果を取得する。
【０１１５】
なお、ＵＥ１００は、ＡＰ３００とのＷＬＡＮ通信に利用可能なＷＬＡＮ周波数帯における干渉状況を測定するキャリアセンスを行って、キャリアセンス結果を取得してもよい。また、ＵＥ１００は、ｅＮＢ２００からの無線信号を測定してもよい。
【０１１６】
ステップＳ１０３において、ＵＥ１００は、Ｃｈａｎｎｅｌ  ＲｅｐｏｒｔｓをｅＮＢ２００に送信する。Ｃｈａｎｎｅｌ  Ｒｅｐｏｒｔｓは、測定設定情報によって設定された条件を満たした旨を示す指標（ｉｎｄｉｃａｔｏｒ）であってもよいし、ＡＰ３００からの無線信号に関する測定結果であってもよい。この指標は、ＵＥ１００が無線信号を測定したＡＰ３００を示すＷＬＡＮ識別子（のリスト）を含んでもよい。
【０１１７】
ｅＮＢ２００は、ＵＥ１００から受信したＣｈａｎｎｅｌ  Ｒｅｐｏｒｔｓに基づいて、セルラ・ＷＬＡＮアグリゲーションをＵＥ１００に実行させるか否かを判定する。ｅＮＢ２００は、例えば、ＲＣＰＩが所定値以上である場合、セルラ・ＷＬＡＮアグリゲーションをＵＥ１００に実行させると判断する。ｅＮＢ２００は、セルラ・ＷＬＡＮアグリゲーションをＵＥ１００に実行させると判定した場合、ステップＳ１０４の処理を実行する。また、ｅＮＢ２００は、ＷＬＡＮ識別子に対応するＡＰ３００の状態（例えば、ＡＰ３００のスループット、ＡＰ３００の負荷等）を考慮して、セルラ・ＷＬＡＮアグリゲーションの対象となるＡＰ３００を選択してもよい。
【０１１８】
ステップＳ１０４において、ｅＮＢ２００は、セルラ・ＷＬＡＮアグリゲーションを実行するための設定をＵＥ１００に要求する再設定メッセージ（Ａｃｑｕｉｒｅ  ＷＬＡＮ）をＵＥ１００に送信する。ｅＮＢ２００は、再設定メッセージをＲＲＣ  Ｃｏｎｎｅｃｔｉｏｎ  Ｒｅｃｏｎｆｉｇｕｒａｔｉｏｎメッセージによって送信してもよい。ＵＥ１００は、再設定メッセージをｅＮＢ２００から受信する。
【０１１９】
ＵＥ１００は、再設定メッセージに含まれる設定情報に基づいて、セルラ・ＷＬＡＮアグリゲーションを実行するための設定を行う。例えば、ＵＥ１００は、設定情報に含まれるＷＬＡＮ識別子に基づいて、セルラ・ＷＬＡＮアグリゲーションにおけるＷＬＡＮ通信の対象となるＡＰ３００を設定する。
【０１２０】
ＵＥ１００は、再設定メッセージに含まれる設定情報に基づいて、設定が完了したことのみをトリガとして、再設定完了メッセージをｅＮＢ２００に送信しない。ＵＥ１００は、セルラ・ＷＬＡＮアグリゲーションが構成可能である場合に、すなわち、以下に示すＡＰ３００に関する所定条件が満たされた場合に、再設定完了メッセージをｅＮＢ２００に送信する。なお、再設定完了メッセージは、再設定メッセージに対する応答であり、設定が完了したことを示すメッセージである。
【０１２１】
ここで、ＵＥ１００は、以下のいずれかの場合に、セルラ・ＷＬＡＮアグリゲーションが構成可能と判定する。
【０１２２】
第１に、ＵＥ１００は、ＡＰ３００との接続（Ａｓｓｏｃｉａｔｉｏｎ）を完了した場合に、セルラ・ＷＬＡＮアグリゲーションが構成可能であると判定する。従って、所定条件は、ＵＥ１００がＡＰ３００との接続（Ａｓｓｏｃｉａｔｉｏｎ）を完了することである。
【０１２３】
第２に、ＵＥ１００は、ＡＰ３００との接続を完了した後、ＡＰ３００とのＷＬＡＮ通信が可能である場合に、セルラ・ＷＬＡＮアグリゲーションが構成可能であると判定する。例えば、ＵＥ１００は、ＡＰ３００と接続を完了した後に、所定のデータ通信を行って無線リンクの確立を確認した場合にＡＰ３００とのＷＬＡＮ通信が可能であると判定する。従って、所定条件は、ＵＥ１００が、ＡＰ３００との接続を完了した後、ＡＰ３００とのＷＬＡＮ通信が可能であることである。
【０１２４】
第３に、ＵＥ１００は、ＡＰ３００からの無線信号に関する測定に基づいて、ＡＰ３００との接続が可能であると判定した場合に、セルラ・ＷＬＡＮアグリゲーションが構成可能であると判定する。従って、所定条件は、ＵＥ１００が、ＡＰ３００からの無線信号に関する測定に基づいて、ＡＰ３００との接続が可能であることである。例えば、ＵＥ１００は、以下の条件を満たした場合に、ＡＰ３００との接続が可能であると判定する。
【０１２５】
・Ｂｅａｃｏｎ  ＲＳＳＩ  ＞  α（閾値）
・ＲＣＰＩ  ＞  β（閾値）
・ＲＳＮＩ  ＞  γ（閾値）
・ＢＳＳ  Ｌｏａｄ（ＡＰ３００に接続しているＵＥ数）  ＞  δ（閾値）
【０１２６】
なお、上記第１及び第２のケースでは、ＡＰ３００の上位レイヤの認証等が考慮された上で、セルラ・ＷＬＡＮアグリゲーションが構成可能であると判定されている。一方、この第３のケースでは、無線的にＡＰ３００との接続が可能である場合に、セルラ・ＷＬＡＮアグリゲーションが構成可能であると判定される。
【０１２７】
第４に、ＵＥ１００は、ＷＬＡＮ周波数帯における干渉レベルが閾値未満である場合に、セルラ・ＷＬＡＮアグリゲーションが構成可能であると判定する。従って、所定条件は、ＷＬＡＮ周波数帯における干渉レベルが閾値未満であることである。例えば、ＵＥ１００は、キャリアセンス結果に基づいて、干渉レベルが閾値未満か否かを判定する。
【０１２８】
このように、ＵＥ１００は、設定が完了したことのみをトリガとして、再設定完了メッセージをｅＮＢ２００に送信せずに、設定が完了した後、セルラ・ＷＬＡＮアグリゲーションが構成可能である場合に、再設定完了メッセージをｅＮＢ２００に送信する。これにより、ＵＥ１００は、ＵＥ１００とＡＰ３００との接続できた場合、又は、ＵＥ１００とＡＰ３００との接続に見込みがある場合に、再設定メッセージを送信する。このため、ＵＥ１００は、セルラ・ＷＬＡＮアグリゲーションのために、ＵＥ１００とＡＰ３００との接続できた場合に、ｅＮＢ２００に再度通知することを省略することが可能となる。
【０１２９】
一方、ＵＥ１００は、セルラ・ＷＬＡＮアグリゲーションが構成不能と判定した場合、再設定メッセージに対する応答であり、セルラ・ＷＬＡＮアグリゲーションが構成不能であることを示す失敗メッセージ（ｆａｉｌｕｒｅメッセージ）をｅＮＢ２００に送信する。或いは、ＵＥ１００は、失敗メッセージとして、ＲＲＣＣｏｎｎｅｃｔｉｏｎＲｅｅｓｔａｂｌｉｓｈｍｅｎｔＲｅｑｕｅｓｔをｅＮＢ２００に送信してもよい。また、失敗メッセージは、セルラ・ＷＬＡＮアグリゲーションが構成不能である（所定条件が満たされない）理由（Ｃａｕｓｅ）を含んでもよい。例えば、失敗メッセージは、上述した第１から第４のケースのうち、セルラ・ＷＬＡＮアグリゲーションが構成不能と判定したケースを理由として含む。従って、ＡＰ３００から接続拒否を示す応答を受信したＵＥ１００は、ＡＰ３００と接続不能であることを理由として含む失敗メッセージをｅＮＢ２００に送信できる。
【０１３０】
また、ＵＥ１００は、再設定メッセージを受信してから所定時間経過するまで、又は、セルラ・ＷＬＡＮアグリゲーションが構成不能である（所定条件が満たされない）と判定した回数が所定値を超えるまで、失敗メッセージを送信しなくてもよい。ＵＥ１００は、再設定メッセージを受信してから失敗メッセージを送信するまで、セルラ・ＷＬＡＮアグリゲーションを構成可能にするための試行を続けることができる。
【０１３１】
再設定メッセージは、所定時間を計測するためのタイマを示す情報を含んでいてもよい。当該タイマは、ＵＥ１００が再設定メッセージを受信してから起動し、所定時間が経過したら満了する。
【０１３２】
また、再設定メッセージは、所定値を示す情報を含んでいてもよい。ＵＥ１００は、再設定メッセージを受信してからセルラ・ＷＬＡＮアグリゲーションが構成不能であると判定した回数のカウントを開始する。ＵＥ１００は、以下の失敗回数の少なくともいずれか一つをカウントすることができる。
【０１３３】
・ＡＰ３００への接続（Ａｓｓｏｃｉａｔｉｏｎ）失敗回数（試行回数）
・ＷＬＡＮ通信不能である回数（試行回数）
・ＡＰ３００からの無線信号に関する測定に基づいて、ＡＰ３００との接続が不能であると判定した回数（試行回数）
・キャリアセンス結果に基づく干渉レベルが閾値以上である回数（試行回数）
【０１３４】
このように、ＵＥ１００は、再設定メッセージを受信してから所定時間経過するまで、又は、セルラ・ＷＬＡＮアグリゲーションが構成不能であると判定した回数が所定値を超えるまで、失敗メッセージを送信しないことによって、セルラ・ＷＬＡＮアグリゲーションを実行できる確率を高めることができる。
【０１３５】
ステップＳ１０５において、ＵＥ１００は、ＡＰ３００に接続するための処理を実行する。具体的には、ＵＥ１００は、ＡＰ３００に接続するための接続要求（Ａｓｓｏｃｉａｔｉｏｎ  ｒｅｑｕｅｓｔ）をＡＰ３００に送信する。ＡＰ３００は、接続要求を承認する場合、肯定応答をＵＥ１００に送信する。一方、ＡＰ３００は、接続要求を拒否する場合、否定応答をＵＥ１００に送信する。
【０１３６】
なお、ＵＥ１００は、再設定メッセージを送信した後に、ＡＰ１００から接続要求の拒否を示す否定応答を受信した場合、ＷＬＡＮ通信が不能であるとして、ＷＬＡＮ通信が不能で有る旨を示す通知及び／又はＷＬＡＮ通信における無線リンク障害が発生したことを示す無線リンク障害報告をｅＮＢ２００に送信してもよい。これにより、ｅＮＢ２００は、ＵＥ１００とＡＰ３００との間の接続が確立されていないことが分かる。
【０１３７】
ステップＳ１０６において、ＵＥ１００は、ＡＰ３００との接続が完了したことを示す接続完了情報（Ａｓｓｏｃｉａｔｉｏｎ  Ｃｏｍｐｌｅｔｅ）をｅＮＢ２００に送信できる。ＵＥ１００は、上述したように、Ｓ１０５によってＡＰ３００との接続を完了したため、接続完了情報を含む再設定完了メッセージ（ＲＲＣ  Ｃｏｎｎｅｃｔｉｏｎ  Ｒｅｃｏｎｆｉｇｕｒａｔｉｏｎ  Ｃｏｍｐｌｅｔｅ）を送信できる。
【０１３８】
ステップＳ１０７において、ＵＥ１００は、セルラ・ＷＬＡＮアグリゲーションによってＵＥ１００のデータの送受信を行う。
【０１３９】
ステップＳ１０８において、ＵＥ１００は、データ（パケット）の受信に成功した場合に、肯定応答（Ａｃｋ）をｅＮＢ２００に送信し、データ（パケット）の受信に失敗した場合に、否定応答（Ｎａｃｋ）をｅＮＢ２００に送信できる。ＵＥ１００は、ＡＰ３００からのデータの受信の成功／失敗に関する肯定応答／否定応答をｅＮＢ２００に送信できる。
【０１４０】
ステップＳ１０９において、ＵＥ１００は、全てのデータを受信が完了した場合、データ転送完了メッセージ（Ｄａｔａ  Ｔｒａｎｓｆｅｒ  Ｃｏｍｐｌｅｔｅ）をｅＮＢ２００に送信する。ＵＥ１００は、１つのパケット毎ではなく、データの塊の受信の成功／失敗に関する肯定応答／否定応答をｅＮＢ２００に送信してもよい。
【０１４１】
ステップＳ１１０において、ｅＮＢ２００は、データ転送完了メッセージを受信した場合、セルラ・ＷＬＡＮアグリゲーションを終了するための解放情報（Ｒｅｌｅａｓｅ  Ｓｃｅｌｌ）をＵＥ１００に送信する。ｅＮＢ２００は、解放情報をＲＲＣ  Ｃｏｎｎｅｃｔｉｏｎ  Ｒｅｃｏｎｆｉｇｕｒａｔｉｏｎメッセージによって送信してもよい。
【０１４２】
ステップＳ１１１において、解放情報を受信したＵＥ１００は、ＡＰ３００との接続を解放するための処理を実行する。
【０１４３】
ステップＳ１１２において、ＵＥ１００は、ＡＰ３００との接続を解放した後、ＲＲＣ  Ｃｏｎｎｅｃｔｉｏｎ  Ｒｅｃｏｎｆｉｇｕｒａｔｉｏｎメッセージに対する応答として、ＡＰ３００との接続が解放したことを示す接続解放情報（Ｄｅ−ａｓｓｏｃｉａｔｉｏｎ  Ｃｏｍｐｌｅｔｅ）をｅＮＢ２００に送信できる。
【０１４４】
［第２実施形態］
次に、第２実施形態について説明する。第２実施形態では、無線リンク障害（Ｗ−ＲＬＦ）に関する無線リンク障害報告（Ｗ−ＲＬＦ報告）について詳細に説明する。第１実施形態と同様の部分は、適宜説明を省略する。
【０１４５】
上述の第１実施形態では、ＵＥ１００は、再設定完了メッセージを送信した後で（且つ、ＷＬＡＮ通信を開始する前に、）ＷＬＡＮ通信が不能である場合に、Ｗ−ＲＬＦ報告をｅＮＢ２００に送信していた。一方で、ＵＥ１００は、再設定完了メッセージを送信した後に、ＷＬＡＮ通信が不能になった（すなわち、Ｗ−ＲＬＦが発生した）場合に、Ｗ−ＲＬＦ報告をｅＮＢ２００に送信してもよい。
【０１４６】
以下において、ＵＥ１００が、Ｗ−ＲＬＦが発生したと判断するケースについて説明する。なお、ＵＥ１００は、下記の内容に基づいて、ＷＬＡＮ通信が不能であると判断してもよい。
【０１４７】
第１に、ＵＥ１００は、ＷＬＡＮ通信におけるＷＬＡＮ周波数帯の干渉状況に基づいて、Ｗ−ＲＬＦが発生したと判断できる。
【０１４８】
まず、ＵＥ１００は、ＷＬＡＮ通信におけるＷＬＡＮ周波数帯の干渉状況を測定するキャリアセンスを行う。ＵＥ１００は、キャリアセンスを行った結果、ＷＬＡＮ周波数帯における干渉電力量が所定値以上である場合に、タイマを起動する。ＵＥ１００は、（キャリアセンスを続けて、）タイマが満了するまで干渉電力量が所定値以上である場合、ＷＲＬＦが発生したと判断する。なお、ＵＥ１００は、タイマが満了する前に干渉電力量が所定値未満になった場合、Ｗ−ＲＬＦが発生していないと判断し、タイマをリセットする。なお、ｅＮＢ２００は、当該所定値を設定するための設定情報をＵＥ１００に送信してもよい。
【０１４９】
或いは、ＵＥ１００は、キャリアセンスを行って、ＷＬＡＮ周波数帯における干渉電力量が所定値以上である毎に、カウンタを１つ増加させる。ＵＥ１００は、カウンタが閾値に達した場合に、Ｗ−ＲＬＦが発生したと判断する。なお、ＵＥ１００は、カウンタが閾値に達する前に干渉電力量が所定値未満になった場合、Ｗ−ＲＬＦが発生していないと判断し、カウンタをリセットする。なお、ｅＮＢ２００は、当該閾値を設定するための設定情報をＵＥ１００に送信してもよい。
【０１５０】
第２に、ＵＥ１００は、セルラ・ＷＬＡＮアグリゲーションにおけるＷＬＡＮ通信における送受信の失敗に基づいて、Ｗ−ＲＬＦが発生した判断できる。
【０１５１】
まず、ＵＥ１００は、データの受信（又は送信）が失敗した場合に、タイマを起動する。ＵＥ１００は、当該タイマが満了するまで、データの受信（又は送信）が失敗した場合、Ｗ−ＲＬＦが発生したと判断する。なお、ＵＥ１００は、タイマが満了する前にデータの受信（又は送信）が成功した場合、Ｗ−ＲＬＦが発生していないと判断し、タイマをリセットする。なお、ｅＮＢ２００は、当該タイマの値を設定するための設定情報をＵＥ１００に送信してもよい。
【０１５２】
或いは、ＵＥ１００は、データの受信（又は送信）が失敗した場合に、カウンタを１つ増加させる。ＵＥ１００は、カウンタが閾値に達した場合に、Ｗ−ＲＬＦが発生したと判断する。なお、ＵＥ１００は、カウンタが閾値に達する前にデータの受信（又は送信）が成功した場合、Ｗ−ＲＬＦが発生していないと判断し、カウンタをリセットする。なお、ｅＮＢ２００は、当該閾値を設定するための設定情報をＵＥ１００に送信してもよい。
【０１５３】
第３に、ＵＥ１００は、セルラ・ＷＬＡＮアグリゲーションにおけるＷＬＡＮ通信を行っているＡＰ３００（又はセルラ・ＷＬＡＮ一体型のｅＮＢ２００）からの無線信号の受信強度（希望波電力値：例えば、Ｂｅａｃｏｎ  ＲＳＳＩ（受信信号強度インジケータ）、ＲＣＰＩ（受信チャネル電力強度インジケータ）、ＲＳＮＩ（受信信号対雑音インジケータ）など）が閾値を下回った場合に、タイマを起動する。ＵＥ１００は、当該タイマが満了するまで、無線信号の受信強度が閾値を下回ったままである場合、Ｗ−ＲＬＦが発生したと判断する。なお、ＵＥ１００は、タイマが満了する前に無線信号の受信強度が閾値を上回った場合、Ｗ−ＲＬＦが発生していないと判断し、タイマをリセットする。なお、ｅＮＢ２００は、当該閾値を設定するための設定情報をＵＥ１００に送信してもよい。
【０１５４】
或いは、ＵＥ１００は、セルラ・ＷＬＡＮアグリゲーションにおけるＷＬＡＮ通信を行っているＡＰ３００（又はセルラ・ＷＬＡＮ一体型のｅＮＢ２００）からの無線信号の受信強度（Ｂｅａｃｏｎ  ＲＳＳＩ）が閾値を下回った場合に、カウンタを１つ増加させる。ＵＥ１００は、カウンタが閾値に達した場合に、Ｗ−ＲＬＦが発生したと判断する。なお、ＵＥ１００は、カウンタが閾値に達する前に無線信号の受信強度（Ｂｅａｃｏｎ  ＲＳＳＩ）が閾値を上回った場合、Ｗ−ＲＬＦが発生していないと判断し、カウンタをリセットする。なお、ｅＮＢ２００は、当該閾値を設定するための設定情報をＵＥ１００に送信してもよい。
【０１５５】
第４に、ＵＥ１００は、セルラ・ＷＬＡＮアグリゲーションにおけるＷＬＡＮ通信を行っているＡＰ３００との接続が断絶した場合、Ｗ−ＲＬＦが発生したと判断する。ＵＥ１００は、ＡＰ３００との接続を再度行った場合、Ｗ−ＲＬＦが回復したと判断する。
【０１５６】
第５に、ＵＥ１００は、セルラ・ＷＬＡＮアグリゲーションにおけるＷＬＡＮ通信を行っているＡＰ３００のバックホールレートが閾値を下回った場合に、タイマを起動する。ＵＥ１００は、当該タイマが満了するまで、バックホールレートが閾値を下回った場合、Ｗ−ＲＬＦが発生したと判断する。なお、ＵＥ１００は、タイマが満了する前にバックホールレートが閾値以上になった場合、Ｗ−ＲＬＦが発生していないと判断し、タイマをリセットする。なお、ｅＮＢ２００は、当該タイマの値を設定するための設定情報をＵＥ１００に送信してもよい。
【０１５７】
或いは、ＵＥ１００は、バックホールレートが閾値を下回った場合に、カウンタを１つ増加させる。ＵＥ１００は、カウンタが閾値に達した場合に、Ｗ−ＲＬＦが発生したと判断する。なお、ＵＥ１００は、カウンタが閾値に達する前にバックホールレートが閾値以上になった場合、Ｗ−ＲＬＦが発生していないと判断し、カウンタをリセットする。なお、ｅＮＢ２００は、当該閾値を設定するための設定情報をＵＥ１００に送信してもよい。
【０１５８】
ＵＥ１００は、Ｗ−ＲＬＦが発生したと判断した場合、Ｗ−ＲＬＦに関する無線リンク障害報告（以下、Ｗ−ＲＬＦ報告）をＲＲＣメッセージによってｅＮＢ２００に送信する。Ｗ−ＲＬＦ報告は、Ｗ−ＲＬＦが発生したと判断された理由及びＵＥ１００が測定したＷＬＡＮ通信に関する最新の測定結果（例えば、キャリアセンス結果、Ｂｅａｃｏｎ  ＲＳＳＩの測定結果、ＲＣＰＩの測定結果、ＲＳＮＩの測定結果など）の少なくともいずれかの情報を含んでもよい。なお、Ｗ−ＲＬＦが発生したと判断された理由は、例えば、Ｗ−ＲＬＦ報告は、ＷＬＡＮ通信におけるＷＬＡＮ周波数帯の干渉状況、ＷＬＡＮ通信における送受信の失敗、ＷＬＡＮ通信を行っているＡＰ３００からの無線信号の受信強度、及び、ＡＰ３００との接続の断絶、の少なくともいずれか一つである。
【０１５９】
ｅＮＢ２００は、セルラ・ＷＬＡＮアグリゲーションを制御（実行）中に、Ｗ−ＲＬＦ報告をＵＥ１００から受信する。例えば、ｅＮＢ２００は、Ｗ−ＲＬＦ報告に基づいて、セルラ・ＷＬＡＮアグリゲーションにおけるＷＬＡＮ通信用のデータベアラを解放するための情報（ＷＬＡＮ  Ｒｅｌｅａｓｅ  Ｒｅｑｕｅｓｔ）、又は、セルラ・ＷＬＡＮアグリゲーションにおけるＷＬＡＮ通信用のデータベアラを別のデータベアラに変更するための情報（ＷＬＡＮ  Ｍｏｄｉｆｉｃａｔｉｏｎ  Ｒｅｑｕｅｓｔ）、をセルラ・ＷＬＡＮアグリゲーションを実行中のＡＰ３００に送信する。ＷＬＡＮ  Ｒｅｌｅａｓｅ  Ｒｅｑｕｅｓｔを受信したＡＰ３００は、セルラ・ＷＬＡＮアグリゲーションにおけるＷＬＡＮ通信用のデータベアラを解放する。一方、ＷＬＡＮ  Ｍｏｄｉｆｉｃａｔｉｏｎ  Ｒｅｑｕｅｓｔを受信したＡＰ３００は、セルラ・ＷＬＡＮアグリゲーションにおけるＷＬＡＮ通信用のデータベアラを別のデータベアラに変更するための制御を開始する。例えば、ＡＰ３００は、ＷＬＡＮ周波数帯１においてセルラ・ＷＬＡＮアグリゲーションを実行していた場合、キャリアセンスを行って、干渉電力量が閾値未満であるＷＬＡＮ周波数帯２においてセルラ・ＷＬＡＮアグリゲーションを実行するための制御を開始する。
【０１６０】
ｅＮＢ２００は、セルラ・ＷＬＡＮアグリゲーションにおけるＷＬＡＮ通信用のデータベアラの変更（又は解放）が行われた場合、データベアラの変更（又は解放）をＵＥ１００に通知するためのＲＲＣ  Ｃｏｎｎｅｃｔｉｏｎ  ＲｅｃｏｎｆｉｇｕｒａｔｉｏｎメッセージをＵＥ１００に送信する。
【０１６１】
また、ｅＮＢ２００は、セルラ・ＷＬＡＮアグリゲーションを実行中のＡＰ３００にＷ−ＲＬＦ報告を送信してもよい。ＡＰ３００は、Ｗ−ＲＬＦ報告に基づいて、セルラ・ＷＬＡＮアグリゲーションにおけるＷＬＡＮ通信を（一時的に）停止できる。ＡＰ３００は、キャリアセンスを行って、干渉電力量が閾値未満になった場合に、セルラ・ＷＬＡＮアグリゲーションにおけるＷＬＡＮ通信を再開できる。なお、ＡＰ３００は、Ｗ−ＲＬＦ報告に基づいて、ＡＰ３００が決定できるパラメータ（例えば、Ｗ−ＲＬＦを検知するためのタイマ、Ｗ−ＲＬＦを検知するための閾値）を設定（調整）することができる。
【０１６２】
ここで、ｅＮＢ２００は、セルラ・ＷＬＡＮアグリゲーションにおいてＷＬＡＮ通信によりＵＥ１００に送信予定の下りデータを、例えば、直接的な通信路を介してＡＰ３００に送信している。ＡＰ３００は、Ｗ−ＲＬＦが発生する前において、ｅＮＢ２００から受信したＵＥ１００に送信予定の下りデータをＵＥ１００に送信する。一方、Ｗ−ＲＬＦが発生している場合、ＡＰ３００が当該下りデータをＵＥ１００に送信しても、ＵＥ１００は当該下りデータを受信できない可能性が高い。
【０１６３】
そこで、ＡＰ３００は、Ｗ−ＲＬＦが発生している場合、ＵＥ１００に未送信の下りデータをｅＮＢ２００に送信してもよい。ＡＰ３００は、セルラ・ＷＬＡＮアグリゲーションにおけるＷＬＡＮ通信用のデータベアラを解放する場合に、ＵＥ１００に未送信の下りデータをｅＮＢ２００に送信（転送）してもよい。或いは、ｅＮＢ２００は、ＡＰ３００に送信済みの下りデータを削除（フラッシュ）している場合（ＡＰ３００に送信済みの下りデータを記憶していない場合）に、ＵＥ１００に未送信の下りデータの送信要求をＡＰ３００に送信する制御を行ってもよい。ｅＮＢ２００は、例えば、ＷＬＡＮ  Ｒｅｌｅａｓｅ  Ｒｅｑｕｅｓｔ、ＷＬＡＮ  Ｍｏｄｉｆｉｃａｔｉｏｎ  Ｒｅｑｕｅｓｔなどに下りデータの送信要求を含めてもよい。或いは、ｅＮＢ２００は、セルラ・ＷＬＡＮアグリゲーションの対象となるＵＥ１００の情報の解放を要求するＵＥ  Ｃｏｎｔｅｘｔ  Ｒｅｌｅａｓｅに下りデータの送信要求を含めてもよい。ＡＰ３００は、下りデータの送信要求を受信した場合に、未送信の下りデータをｅＮＢ２００に送信（転送）してもよい。ｅＮＢ２００は、ＡＰ３００から受信した未送信の下りデータをＵＥ１００に送信する。
【０１６４】
なお、ＵＥ１００は、Ｗ−ＲＬＦが発生したと判断した場合、受信（又は送信）できていないデータ（或いは、受信（又は送信）できているデータ）をｅＮＢ２００に知らせるための制御情報（Ｃｏｎｔｒｏｌ  ＰＤＵ、例えば、ＰＤＣＰ／ＲＬＣ  Ｓｔａｔｕｓ  ＰＤＵ）をｅＮＢ２００に送信してもよい。ｅＮＢ２００は、当該制御情報に基づいて、該当するデータをＵＥ１００に送信（又は受信）する制御を行う。
【０１６５】
また、ＵＥ１００は、Ｗ−ＲＬＦが解消した（Ｗ−ＲＬＦが所定期間発生していない）と判断した場合、ＷＬＡＮ通信における無線リンク障害が解消したことを示す無線リンク障害解消報告（以下、Ｗ−ＲＬＲ（ＷＬＡＮ  Ｒａｄｉｏ  Ｌｉｎｋ  Ｒｅｃｏｖｅｒｅｄ）報告）をｅＮＢ２００に送信してもよい。例えば、ＵＥ１００は、上述のＷ−ＲＬＦの判断基準に基づいて、Ｗ−ＲＬＦが所定期間発生していないと判断した場合に、Ｗ−ＲＬＲ報告をｅＮＢ２００に送信することができる。ｅＮＢ２００は、Ｗ−ＲＬＲ報告を受信した場合、ＷＬＡＮ通信における無線リンク状況を把握することができる。その結果、ｅＮＢ２００は、セルラ・ＷＬＡＮアグリゲーションに関する設定の制御を適切に行うことができるため、セルラ・ＷＬＡＮアグリゲーションを効率よく制御することができる。
【０１６６】
［第２実施形態の変更例］
次に、第２実施形態の変更例について説明する。第２実施形態の変更例では、セルラ・ＷＬＡＮアグリゲーションを実行中のＡＰ３００が、Ｗ−ＲＬＦが発生したと判断するケースについて説明する。ＵＥ１００と同様の部分は、説明を適宜省略する。
【０１６７】
ＡＰ３００は、Ｗ−ＲＬＦが発生したと判断した場合、Ｗ−ＲＬＦ報告を、例えば、直接的な通信路を用いてｅＮＢ２００に送信する。ＡＰ３００は、上述したＵＥ１００と同様に、Ｗ−ＲＬＦが発生したと判断できる。Ｗ−ＲＬＦ報告は、Ｗ−ＲＬＦが発生したと判断された理由及びＡＰ３００が測定したＷＬＡＮ通信に関する最新の測定結果（例えば、キャリアセンス結果、ＵＥ１００からの参照信号の受信強度など）の少なくともいずれかの情報を含んでもよい。
【０１６８】
Ｗ−ＲＬＦ報告を受信したｅＮＢ２００は、Ｗ−ＲＬＦ報告に対する応答として、ＷＬＡＮ  Ｒｅｌｅａｓｅ  Ｒｅｑｕｅｓｔ又はＷＬＡＮ  Ｍｏｄｉｆｉｃａｔｉｏｎ  ＲｅｑｕｅｓｔをＡＰ３００に送信してもよい。また、Ｗ−ＲＬＦ報告を受信したｅＮＢ２００は、ＵＥ１００に未送信の下りデータの送信要求を含むＷ−ＲＬＦ報告に対する応答をＡＰ３００に送信してもよい。
【０１６９】
また、ＡＰ３００は、Ｗ−ＲＬＦが発生したと判断した場合、セルラ・ＷＬＡＮアグリゲーションにおけるＷＬＡＮ通信用のデータベアラを解放するための要求（ＷＬＡＮ  Ｒｅｌｅａｓｅ  Ｒｅｑｕｉｒｅｄ）、又は、セルラ・ＷＬＡＮアグリゲーションにおけるＷＬＡＮ通信用のデータベアラを別のデータベアラに変更するための要求（ＷＬＡＮ  Ｍｏｄｉｆｉｃａｔｉｏｎ  Ｒｅｑｕｉｒｅｄ）を例えば、直接的な通信路を用いてｅＮＢ２００に送信してもよい。この場合、ＡＰ３００は、Ｗ−ＲＬＦ報告の送信を省略してもよい。
【０１７０】
ｅＮＢ２００は、ＷＬＡＮ  Ｒｅｌｅａｓｅ  Ｒｅｑｕｉｒｅｄに基づいて、ＷＬＡＮ  Ｒｅｌｅａｓｅ  ＲｅｑｕｅｓｔをＡＰ３００に送信してもよい。また、ｅＮＢ２００は、ＷＬＡＮ  Ｍｏｄｉｆｉｃａｔｉｏｎ  Ｒｅｑｕｉｒｅｄに基づいて、ＷＬＡＮ  Ｍｏｄｉｆｉｃａｔｉｏｎ  ＲｅｑｕｅｓｔをＡＰ３００に送信してもよい。
【０１７１】
なお、ＡＰ３００は、上述したＵＥ１００と同様に、Ｗ−ＲＬＦが所定期間発生していない判断した場合、Ｗ−ＲＬＲ報告をｅＮＢ２００に送信してもよい。
【０１７２】
［第３実施形態］
次に、第３実施形態について、図１０及び図１１を用いて説明する。図１０は、第３実施形態に係る動作を説明するためのフローチャートである。図１１は、第３実施形態に係るＵＥ１００の動作を説明するためのシーケンス図である。
【０１７３】
第３実施形態では、ＵＥ主導型の切り替え制御が行われる場合において、ＵＥ１００が上位レイヤに対してＷＬＡＮ識別子を通知する場合の制限について詳細に説明する。上述した各実施形態と同様の部分は、適宜説明を省略する。
【０１７４】
図１０に示すように、ステップＳ２０１において、ｅＮＢ２００は、ＡＰ３００からの無線信号を測定させるための測定設定情報（Ｃｏｎｆｉｇｕｒａｔｉｏｎ）をＵＥ１００に送信する。測定設定情報は、セルラ・ＷＬＡＮアグリゲーションの対象（候補）となるＡＰ３００の識別子（ＷＬＡＮ識別子：例えば、ＳＳＩＤ）を含んでもよい。また、測定設定情報は、上位局（ｈｉｇｈｅｒ  ｌａｙｅｒ／ｕｐｐｅｒ  ｌａｙｅｒ）への通知を制限するタイマを示すタイマ情報（Ｔｈｒｅｓｈｏｌｄ  ｏｆ  ｔｉｍｅｒ）を含んでもよい。
【０１７５】
ＵＥ１００は、測定設定情報に基づいて、ＡＰ３００からの無線信号の測定を開始する。また、ＵＥ１００は、ｅＮＢ２００からの無線信号の測定を開始する。ＵＥ１００は、セルラに関する第１の判定条件を満たすか否かを判定するための測定値（セルラ測定結果）及びＷＬＡＮに関する第２の判定条件を満たすか否かを判定するための測定値（ＷＬＡＮ測定結果）を取得するために測定を行う。
【０１７６】
ステップＳ２０２において、ｅＮＢ２００は、参照信号（Ｒｅｆｅｒｅｎｃｅ  ｓｉｇｎａｌ）などを送信する。また、ＡＰ３００は、ビーコン信号などを送信する。
【０１７７】
ＵＥ１００は、ｅＮＢ２００からの参照信号の測定を行い、セルラ測定結果を取得する。また、ＵＥ１００は、ＡＰ３００からのビーコン信号の測定を行い、ＷＬＡＮ測定結果を取得する。
【０１７８】
なお、ＡＰ３００が複数のＷＬＡＮ周波数帯のそれぞれにおいて無線信号（ビーコン信号）を送信している場合、ＵＥ１００は、複数のＷＬＡＮ周波数帯のそれぞれにおいてビーコン信号を測定する制御を実行できる。例えば、ＵＥ１００が測定するＷＬＡＮ周波数帯又はチャネルを指定する情報を測定設定情報が含む場合、ＵＥ１００は、指定された（複数の）ＷＬＡＮ周波数帯又は指定された（複数の）チャネルにおけるビーコン信号を測定する。一方、ＵＥ１００は、ＷＬＡＮ周波数帯又はチャネルを指定する情報を測定設定情報が含まない場合、ＵＥ１００は、自身の測定能力に応じて、ビーコン信号を測定する。例えば、ＵＥ１００は、２．４ＧＨｚ帯を測定する能力を有する場合、２．４ＧＨｚ帯におけるビーコン信号を測定し、５ＧＨｚ帯を測定する能力を有する場合、５ＧＨｚ帯におけるビーコン信号を測定し、２．４ＧＨｚ帯及び５ＧＨｚ帯を測定する能力を有する場合、両方のビーコン信号を測定する。或いは、ＵＥ１００は、１つのチャネルにおいて測定する能力を有する場合、１つのチャネルにおけるビーコン信号を測定し、複数のチャネルにおいて測定する能力を有する場合、複数のチャネルのそれぞれにおけるビーコン信号を測定する。
【０１７９】
なお、ＵＥ１００は、複数のＷＬＡＮ周波数帯を測定する能力を有する場合であって、ＷＬＡＮ測定結果をｅＮＢ２００に報告するトリガ（イベントＡ２、Ａ３など）を複数のＷＬＡＮ周波数帯のそれぞれに対して（別々に）設定することができる。例えば、ＵＥ１００は、２．４ＧＨｚ帯におけるＷＬＡＮ測定結果の報告のトリガをイベントＡ２に設定し、５ＧＨｚ帯におけるＷＬＡＮ測定結果の報告のトリガをイベントＡ３に設定することができる。
【０１８０】
ステップＳ２０３において、ＵＥ１００は、セルラ測定結果及びＷＬＡＮ測定結果に基づいて、ＵＥ１００は、第１の判定条件及び第２の判定条件の両方が満たされた場合、ＵＥ１００は、通常であれば、Ｅ−ＵＴＲＡＮ１０とＷＬＡＮ３０との間で双方向のトラフィック切り替えを制御する上位局に対して、第２の判定条件を満たしたＡＰ３００の識別子（ＷＬＡＮ識別子）を通知する。しかしながら、ＵＥ１００は、所定条件下において、上位局に対してＷＬＡＮ識別子を通知する前に、ＷＬＡＮ測定結果をｅＮＢ２００に通知する。すなわち、ＵＥ１００は、送信先を切り替える制御を行う。
【０１８１】
例えば、ＵＥ１００は、測定設定情報に基づいてＡＰ３００からの無線信号を測定している場合には、上位局に通知する前に、ｅＮＢ２００にＷＬＡＮ測定結果をｅＮＢ２００に通知する。ＵＥ１００は、ＷＬＡＮ測定結果と共に、セルラ測定結果をｅＮＢ２００通知してもよい。一方、ＵＥ１００は、ｅＮＢ２００からの測定設定情報に基づかずに、ＡＰ３００からの無線信号を測定している場合には、通常通り、上位局に通知する。
【０１８２】
ＵＥ１００は、ｅＮＢ２００にＷＬＡＮ測定結果を通知した後、所定時間経過するまで上位局にＷＬＡＮ識別子を通知しなくてもよい。ここで、所定時間は、測定設定情報に含まれるタイマ情報によって設定（決定）されてもよい。ＵＥ１００は、タイマ情報によって設定されたタイマが満了した場合に、上位局にＷＬＡＮ識別子を通知することができる。
【０１８３】
或いは、ＵＥ１００は、ｅＮＢ２００にＷＬＡＮ測定結果を通知してから当該通知に基づくメッセージをｅＮＢ２００から受信するまで、上位局にＷＬＡＮ識別子を通知しなくてもよい。ＵＥ１００は、ｅＮＢ２００からの応答を受信した場合、上位局にＷＬＡＮ識別子を通知できる。ＵＥ１００は、ｅＮＢ２００からの応答が、セルラ・ＷＬＡＮアグリゲーションを実行するための設定をＵＥ１００に要求する再設定メッセージである場合、上位局にＷＬＡＮ識別子を通知しない。
【０１８４】
或いは、ＵＥ１００は、ｅＮＢ２００にＷＬＡＮ測定結果を通知した場合、上位局に対するＷＬＡＮ識別子の通知を中止してもよい。
【０１８５】
次に、第３実施形態に係るＵＥ１００の動作の一例を、図１１を用いて説明する。なお、ＵＥ１００は、ｅＮＢ２００から測定設定情報を受信していると仮定して説明を進める。
【０１８６】
図１１に示すように、ステップＳ３０１において、ＵＥ１００は、ｅＮＢ２００からの参照信号の測定及びＡＰ３００からのビーコン信号の測定を行う。
【０１８７】
ステップＳ３０２において、ＵＥ１００は、セルラ測定結果及びＷＬＡＮ測定結果に基づいて、第１の判定条件及び第２の判定条件の両方が満たされた場合、ステップＳ３０３の処理を実行する。一方、ＵＥ１００は、第１の判定条件及び第２の判定条件の両方が満たされない場合、ステップＳ３０１の処理を実行する。
【０１８８】
ステップＳ３０３において、ＵＥ１００は、第２の判定条件を満たすＡＰ３００（の識別子）が、測定設定情報に含まれるセルラ・ＷＬＡＮアグリゲーションの対象（候補）となるＡＰ３００（の識別子）である場合に、ステップＳ３０４の処理を実行する。なお、ｅＮＢ２００は、セルラ・ＷＬＡＮアグリゲーションの対象となるＡＰ３００の識別子を測定設定情報によってＵＥ１００に通知（設定）してもよいし、他の情報によってＵＥ１００に通知（設定）してもよい。
【０１８９】
一方、ＵＥ１００は、第２の判定条件を満たすＡＰ３００（の識別子）が、セルラ・ＷＬＡＮアグリゲーションの対象となるＡＰ３００（の識別子）でない場合、ステップＳ３０７の処理を実行する。
【０１９０】
ステップＳ３０４において、ＵＥ１００は、ＷＬＡＮ測定結果をｅＮＢ２００に送信する。ＵＥ１００は、ＷＬＡＮ測定結果と共にセルラ測定結果を送信してもよい。これにより、ｅＮＢ２００は、ＷＬＡＮ測定結果だけでなく、セルラ測定結果も知ることができるため、セルラ・ＷＬＡＮアグリゲーションが有効であるか否かを判断することができる。
【０１９１】
また、ＵＥ１００は、キャリアセンスを行っている場合、ＷＬＡＮ測定結果と共に、キャリアセンス結果をｅＮＢ２００に送信してもよい。これにより、ｅＮＢ２００は、ＵＥ１００がＷＬＡＮ通信によって受信及び／又は送信が正常にできるか否かを判定できるため、さらにセルラ・ＷＬＡＮアグリゲーションが有効であるか否かを判断することができる。
【０１９２】
ＵＥ１００は、例えば、測定設定情報によってキャリアセンス結果の報告がｅＮＢ２００から明示的に要求されてもよいし、ｅＮＢ２００からの要求なしで自律的にキャリアセンス結果を報告してもよい。例えば、ＵＥ１００は、キャリアセンス結果が悪い場合（キャリアセンス結果によって示される干渉電力量が閾値以上である場合）に、キャリアセンス結果を報告してもよい。
【０１９３】
また、ＵＥ１００は、セルラ・ＷＬＡＮアグリゲーションの対象となるＡＰ３００との接続を完了した後に、ＷＬＡＮ測定結果をｅＮＢ２００に送信してもよい。これにより、ｅＮＢ２００は、ＷＬＡＮ測定結果を受信した場合、既にＵＥ１００が、セルラ・ＷＬＡＮアグリゲーションの対象となるＡＰ３００と接続を完了しているため、スムーズにセルラ・ＷＬＡＮアグリゲーションを開始するための制御が実行できる。
【０１９４】
ＵＥ１００は、ステップＳ３０４の処理を実行した場合、ステップＳ３０５〜Ｓ３０７の処理を省略してもよい。すなわち、Ｓ３０５及びＳ３０６の処理はオプションである。従って、ＵＥ１００は、ｅＮＢ２００にＷＬＡＮ測定結果を通知した場合、上位局に対するＷＬＡＮ識別子の通知を中止してもよい。
【０１９５】
ステップＳ３０５において、ＵＥ１００は、タイマを起動する。
【０１９６】
ステップＳ３０６において、ＵＥ１００は、タイマが閾値に達したか否かを判定する。この閾値は、測定設定情報に含まれるタイマ情報によって示されてもよい。ＵＥ１００は、タイマが閾値に達した場合（すなわち、タイマが満了した場合）、ステップＳ３０７の処理を実行する。
【０１９７】
ステップＳ３０７において、ＵＥ１００は、上位局にＷＬＡＮ識別子（ＳＳＩＤ）を通知する。なお、ＵＥ１００は、セルラ・ＷＬＡＮアグリゲーションの制御を開始した場合（セルラ・ＷＬＡＮアグリゲーションに関する設定を行った場合）、ステップＳ３０７の処理を省略する。
【０１９８】
このように、ＵＥ１００は、上位局に対してＷＬＡＮ識別子を通知する前に、ＷＬＡＮ測定結果をｅＮＢ２００に通知する。これにより、ｅＮＢ２００は、上位局による切り替え制御が行われる前に、ＷＬＡＮ測定結果に基づいてＵＥ１００の制御が可能となる。従って、ｅＮＢ２００が、セルラ・ＷＬＡＮアグリゲーションを効率的に制御できる。
【０１９９】
［第４実施形態］
次に、第４実施形態について、図１２及び図１３を用いて説明する。上述した各実施形態と同様の部分は説明を省略する。第４実施形態では、ＡＰ３００は、アグリゲーションエンティティ（以下、ＡＧエンティティ）を有する（図１２参照）。ＡＰ３００の制御部（コントローラ）は、ＡＧエンティティの機能を実行する。図１２は、第４実施形態に係るＡＧエンティティを説明するための図である。図１３は、第４実施形態に係るＡＧエンティティの動作を説明するためのシーケンス図である。
【０２００】
（ＡＧエンティティ）
図１２に示すように、ｅＮＢ２００は、ＰＤＣＰエンティティ（ＬＴＥ−ＰＤＣＰ）２５１、ＲＬＣエンティティ（ＬＴＥ−ＲＬＣ）２５２、ＭＡＣエンティティ（ＬＴＥ−ＭＡＣ）２５３、及び、ＰＨＹエンティティ（ＬＴＥ−ＰＨＹ）２５４を有する。一方、ＡＰ３００は、ＡＧエンティティ（ｉｅｅｅＡｇｇｒｅｇａｔｉｏｎ  ｅｎｔｉｔｙ）３５１、ＭＡＣエンティティ（ＷＬＡＮ−ＭＡＣ）３５２、及び、ＰＨＹエンティティ（ＷＬＡＮ−ＰＨＹ）３５３を有する。
【０２０１】
ＡＧエンティティ３５１は、ＭＡＣエンティティ３５２の上位に位置する。また、ＡＧエンティティ３５１とｅＮＢ２００（ＰＤＣＰエンティティ２５１）との間には、直接的な通信路が設定されている。
【０２０２】
ＡＧエンティティ３５１は、ＡＰ３００に接続するＵＥ１００のデータをセルラ通信及びＷＬＡＮ通信を併用して送受信するセルラ・ＷＬＡＮアグリゲーションを制御する。セルラ・ＷＬＡＮアグリゲーションが実行される場合、セルラ・ＷＬＡＮアグリゲーションでは、ｅＮＢ２００及びＡＰ３００を介するデータベアラであって、ｅＮＢ２００において分割されたデータベアラ（以下、ＡＧデータベアラ）が確立される（上述のデータベアラ♯２−２参照）。図１２において、ＡＧデータベアラは、ｅＮＢ２００のＰＤＣＰエンティティ２５１において分割される。
【０２０３】
下りリンクにおいて、ＡＧエンティティ３５１は、ｅＮＢ２００（ＰＤＣＰエンティティ２５１）から、直接的な通信路を用いて、ＡＧデータベアラに属するＵＥ１００のデータパケット（ユーザデータ）を受け取る。ＡＧエンティティ３５１は、受け取ったデータパケットに対して所定の処理を行い、当該データパケットをＭＡＣエンティティ３５２に送る。例えば、ＡＧエンティティ３５１は、セルラ通信用のプロトコル形式のパケットをＷＬＡＮ通信用のプロトコル形式のパケットに変換する。上りリンクにおいて、ＡＧエンティティ３５１は、逆の処理を行う。
【０２０４】
なお、ＡＧエンティティ３５１は、ＩＥＥＥ８０２シリーズの任意のプロトコルに対応する。例えば、ＡＧエンティティ３５１は、「ＩＥＥＥ８０２．１１ａｄ」、「ＩＥＥＥ８０２．１１ａｃ」、「ＩＥＥＥ８０２．１１ｎ」、「ＩＥＥＥ８０２．１１ｇ」などに対応する。
【０２０５】
なお、ＰＤＣＰエンティティ２５１は、ＰＤＣＰ機能２４１♯２を有する。ＲＬＣエンティティ２５２は、ＲＬＣ機能２４２♯２を有する。ＭＡＣエンティティ２５３は、ＭＡＣ機能２４３♯２を有する。ＰＨＹエンティティ２５４は、ＰＨＹ機能を有する。また、ＭＡＣエンティティ３５２は、ＭＡＣ  ＬＭＥ機能３４２を有する。ＰＨＹエンティティ３５３は、ＰＨＹ  ＬＭＥ機能３４３を有する。
【０２０６】
なお、図１２において、ＡＰ３００が有するＬＬＣエンティティが省略されている。上述のＬＬＣ機能３４１を有するＬＬＣエンティティは、ＡＧエンティティ３５１とＭＡＣエンティティ３５２との間に位置してもよいし、ＡＧエンティティ３５１の上位に位置してもよい。或いは、ＬＬＣエンティティは、ＡＧエンティティ３５１と同じ階層に位置してもよい。以下において、ＡＰ３００の内部において、データベアラ＃２に属するデータは、ＬＬＣ機能３４１において処理されている。
【０２０７】
（ＡＧエンティティの動作）
次に、ＡＧエンティティ３５１の動作について、ＡＧエンティティ３５１の第１の動作は、セルラ・ＷＬＡＮアグリゲーションを開始する前の動作である。
【０２０８】
図１３に示すように、ステップＳ１０において、ｅＮＢ２００は、直接的な通信路を用いて、セルラ・ＷＬＡＮアグリゲーションにおけるＷＬＡＮ通信の実行要求（ＷＬＡＮ  ａｄｄｉｔｉｏｎ  ｒｅｑｕｅｓｔ）をＡＧエンティティ３５１（ＡＰ３００）に送信する。
【０２０９】
ｅＮＢ２００は、セルラ・ＷＬＡＮアグリゲーションの対象となるＵＥ１００に割り当てた所定の識別子（照合情報）を実行要求に含めてもよい。所定の識別子は、例えば、セルラ・ＷＬＡＮアグリゲーションの対象となるＵＥ１００のために確保している識別子であってもよいし、セルラ・ＷＬＡＮアグリゲーションの対象となるＵＥ１００に割り当てられたＣ−ＲＮＴＩであってもよい。ＡＧエンティティ３５１（メモリ３３０）は、実行要求に所定の識別子が含まれる場合、当該所定の識別子を、接続要求を送信したＵＥ１００がセルラ・ＷＬＡＮアグリゲーションの対象であるか否かを照合するための照合情報として記憶する。
【０２１０】
また、実行要求は、セルラ・ＷＬＡＮアグリゲーションに用いられるデータベアラに対応する識別子（ベアラ識別子：ベアラＩＤ）を含んでいてもよい。照合情報は、セルラ・ＷＬＡＮアグリゲーションに用いられる複数のベアラ識別子がリストアップされたリストであってもよい。
【０２１１】
また、実行情報は、トンネリング層の識別子（ＴＥＩＤ）を含んでいてもよい。ＴＥＩＤは、ユーザプレーンデータ（ＰＤＣＰ  ＰＤＵ）を転送する論理的な通信経路を生成する際に用いられ、当該通信経路を示す識別子である。
【０２１２】
また、実行要求は、ｅＮＢ２００がＵＥ１００から受信したＡＰ３００の無線信号に関する最新の測定報告及び／又は最新のキャリアセンス結果を含んでいてもよい。
【０２１３】
また、実行要求は、ＵＥ１００のスループット最大値（制限値）を含んでいてもよい。
【０２１４】
ステップＳ２０において、ＡＧエンティティ３５１は、実行要求に対する応答（ＷＬＡＮ  ａｄｄｉｔｉｏｎ  ｒｅｓｐｏｎｓｅ）をｅＮＢ２００に送信する。実行要求に対する応答は、実行要求に含まれていた複数のベアラ識別子のうち、拒否した（承認しなかった）ベアラ識別子（のリスト）を含んでいてもよい。また、例えば、実行要求が上述した情報（ベアラ識別子、ＴＥＩＤ、測定報告、キャリアセンス結果、ＵＥ１００のスループット最大値など）が含まない場合は、実行要求に対する応答は、上述した情報（ベアラ識別子、ＴＥＩＤ、ＡＰ３００が測定したキャリアセンス結果、ＵＥ１００のスループット最大値など）を含んでもよい。
【０２１５】
ＡＧエンティティ３５１は、セルラ・ＷＬＡＮアグリゲーションにおけるＷＬＡＮ通信が実行可能である場合、肯定応答をｅＮＢ２００に送信する。一方、ＡＧエンティティ３５１は、セルラ・ＷＬＡＮアグリゲーションにおけるＷＬＡＮ通信が実行不能である場合、否定応答をｅＮＢ２００に送信する。否定応答は、セルラ・ＷＬＡＮアグリゲーションにおけるＷＬＡＮ通信が実行不能であると判定した理由（Ｃａｕｓｅ）を含んでもよい。ＡＧエンティティ３５１は、例えば、ＡＰ３００の負荷に応じて、このＷＬＡＮ通信が実行可能であるか否かを判定する。
【０２１６】
ＡＧエンティティ３５１は、実行要求に所定の識別子が含まれない場合、セルラ・ＷＬＡＮアグリゲーションの対象となるＵＥ１００に所定の識別子を割り当てて、当該所定の識別子を肯定応答に含めることができる。ＡＧエンティティ３５１（メモリ２３０）は、肯定応答に含めた所定の識別子を照合情報として記憶する。
【０２１７】
また、ＡＧエンティティ３５１は、ＷＬＡＮ通信に利用可能な複数のＷＬＡＮ周波数帯（例えば、２，４ＧＨｚと５ＧＨｚ）を管理している場合、複数のＷＬＡＮ周波数帯のうち、ＵＥ１００が使用すべきＷＬＡＮ周波数帯を示す情報を肯定応答に含めてもよい。ＡＧエンティティ３５１は、ＡＰ３００がＷＬＡＮ通信に利用可能な複数のＷＬＡＮ周波数帯における干渉状況を示すキャリアセンスを行った結果であるキャリアセンス結果に基づいて、ＵＥ１００が使用すべきＷＬＡＮ周波数帯を決定できる。この場合、ＵＥ１００が使用すべきＷＬＡＮ周波数帯は、干渉電力量が閾値未満となる周波数帯である。
【０２１８】
また、ＡＧエンティティ３５１は、ＵＥ１００におけるセルラ・ＷＬＡＮアグリゲーションの設定に関する所定情報（ＲＲＣＣｏｎｎｅｃｔｉｏｎ  Ｒｅｃｏｎｆｉｇｒａｔｉｏｎの一部）を作成してもよい。所定情報は、例えば、ＡＧエンティティ３５１が割り当てた所定の識別子、ＵＥ１００が使用すべきＷＬＡＮ周波数帯、ＵＥ１００が接続すべきＡＰ３００の識別子（例えば、ＳＳＩＤ）などである。ＡＧエンティティ３５１は、肯定応答に所定情報を含めてｅＮＢ２００に送信する。
【０２１９】
また、ＡＧエンティティ３５１は、キャリアセンス結果が良好である（すなわち、ＷＬＡＮ通信で利用されるＷＬＡＮ周波数帯における干渉レベル（干渉電力量）が閾値未満である）場合にのみ、実行要求に対して肯定応答を送信してもよい。ＡＧエンティティ３５１は、実行要求の受信をトリガとしてキャリアセンスを行ってもよい。或いは、ＡＧエンティティ３５１は、最新のキャリアセンス結果を取得してから所定時間経過する前に実行要求を受信した場合、最新のキャリアセンス結果に基づいて肯定応答を送信するか否かを判断してもよい。これにより、セルラ・ＷＬＡＮアグリゲーションを有効に実行できる。
【０２２０】
ｅＮＢ２００は、直接的な通信路を用いて、肯定応答を受信することによって、セルラ・ＷＬＡＮアグリゲーションの設定するための所定情報（ＡＧエンティティ３５１が割り当てた所定の識別子、ＵＥ１００が使用すべきＷＬＡＮ周波数帯、ＵＥ１００が接続すべきＡＰ３００の識別子など）をＡＧエンティティ３５１から取得する。これにより、ｅＮＢ２００は、セルラ・ＷＬＡＮアグリゲーションのためにＡＰ３００の情報を管理しなくてもよいため、ｅＮＢ２００の負荷を低減できる。ｅＮＢ２００が多数のＡＰ３００と接続されている場合において、多数のＡＰ３００の情報を一括管理しなくてよいため、特に有効である。
【０２２１】
ｅＮＢ２００は、実行要求に対する応答が肯定応答である場合、以下の処理を実行する。
【０２２２】
ステップＳ３０において、ｅＮＢ２００は、セルラ・ＷＬＡＮアグリゲーションの設定に関する設定メッセージ（ＲＲＣ  Ｃｏｎｎｅｃｔｉｏｎ  Ｒｅｃｏｎｆｉｇｒａｔｉｏｎ）をＵＥ１００に送信する。
【０２２３】
ｅＮＢ２００は、設定メッセージにＡＧエンティティ３５１からの肯定応答に含まれる所定情報を含める。或いは、ｅＮＢ２００は、ＡＧエンティティ３５１から所定情報（ＲＲＣＣｏｎｎｅｃｔｉｏｎ  Ｒｅｃｏｎｆｉｇｒａｔｉｏｎの一部）を受信している場合、自局で作成した設定メッセージ（ＲＲＣＣｏｎｎｅｃｔｉｏｎ  Ｒｅｃｏｎｆｉｇｒａｔｉｏｎ）と統合して、統合された設定メッセージをＵＥ１００に送信してもよい。これにより、ＡＧエンティティ３５１が、ＲＲＣＣｏｎｎｅｃｔｉｏｎ  Ｒｅｃｏｎｆｉｇｒａｔｉｏｎの一部を作成しているため、ｅＮＢ２００の処理負荷が低減する。
【０２２４】
ＵＥ１００は、設定メッセージに基づいて、セルラ・ＷＬＡＮアグリゲーションの設定を行う。
【０２２５】
ステップＳ４０において、ＵＥ１００は、ＡＰ３００への接続要求（Ａｓｓｏｃｉａｔｉｏｎ  ｒｅｑｕｅｓｔ）をＡＰ３００に送信する。ＵＥ１００は、セルラ・ＷＬＡＮアグリゲーションの設定によってＡＰ３００への接続要求がトリガされた場合に、接続要求を送信する。ＵＥ１００は、設定メッセージにＷＬＡＮ周波数帯を示す情報が含まれる場合、当該ＷＬＡＮ周波数帯におけるＡＰ３００を探索し、発見したＡＰ３００に接続要求を送信する。ＵＥ１００は、設定メッセージにＡＰ３００を示す識別子が含まれる場合、当該識別子によって示されるＡＰ３００に対して接続要求を送信する。
【０２２６】
ＵＥ１００は、設定メッセージに所定の識別子が含まれる場合、照合情報として当該所定の識別子を含む接続要求をＡＰ３００に送信する。ＵＥ１００は、設定メッセージに所定の識別子が含まれない場合、ｅＮＢ２００から割り当てられているＣ−ＲＮＴＩを照合情報として接続要求に含めてもよい。
【０２２７】
ステップＳ５０において、ＡＧエンティティ３５１は、記憶されている照合情報とＵＥ１００から受信した照合情報とが一致するか否かを判定する。記憶されている照合情報は、ｅＮＢ２００から受信した照合情報又はＡＧエンティティ３５１がｅＮＢ２００に送信した照合情報である。ＡＧエンティティ３５１は、記憶されている照合情報とＵＥ１００から受信した照合情報とが一致する場合、接続要求の送信元のＵＥ１００はセルラ・ＷＬＡＮアグリゲーションの対象であると判定する。一方、ＡＧエンティティ３５１は、記憶されている照合情報とＵＥ１００から受信した照合情報とが一致しない場合、又は、接続要求に照合情報が含まれない場合、接続要求の送信元のＵＥ１００はセルラ・ＷＬＡＮアグリゲーションの対象でないと判定する。
【０２２８】
ＡＧエンティティ３５１は、接続要求の送信元のＵＥ１００はセルラ・ＷＬＡＮアグリゲーションの対象であると判定した場合、すなわち、接続要求がセルラ・ＷＬＡＮアグリゲーションの対象であることを示す所定情報を含む場合、セルラ・ＷＬＡＮアグリゲーションの制御を開始する。また、ＡＧエンティティ３５１は、通常のＵＥ１００から受信した接続要求を拒否する場合であっても、セルラ・ＷＬＡＮアグリゲーションの対象であるＵＥ１００の接続要求を承認してもよい。例えば、セルラ・ＷＬＡＮアグリゲーションを実行するＵＥ１００とＡＰ３００との通信データ量は、セルラ・ＷＬＡＮアグリゲーションを実行しない通常のＵＥ１００とＡＰ３００との通信データ量に比べて小さいことが想定されるためである。
【０２２９】
このように、ＡＧエンティティ３５１は、接続要求の送信元のＵＥ１００がセルラ・ＷＬＡＮアグリゲーションの対象であると判定した場合に、セルラ・ＷＬＡＮアグリゲーションの制御を開始できるため、効率的なセルラ・ＷＬＡＮアグリゲーションが実行可能である。
【０２３０】
［第４実施形態の変更例１］
次に、第４実施形態の変更例１について説明する。上述した各実施形態と同様の部分は説明を省略する。第４実施形態の変更例１では、所定情報は、接続要求がセルラ・ＷＬＡＮアグリゲーションのための要求であることを示す情報である。
【０２３１】
例えば、通常の接続要求を送信するＵＥ１００は、セルラ・ＷＬＡＮアグリゲーションのための要求でないことを示すフラグ情報（「０（ＯＦＦ）」を示すフラグ）を接続要求に含める。フラグ情報は、１ビットで示すことができる。或いは、当該ＵＥ１００は、通常の接続要求を送信する。
【０２３２】
一方、セルラ・ＷＬＡＮアグリゲーションのためにＡＰ３００へ接続要求を送信するＵＥ１００は、セルラ・ＷＬＡＮアグリゲーションのための要求であることを示すフラグ情報（「１（ＯＮ）」を示すフラグ）を接続要求に含める。或いは、当該ＵＥ１００は、セルラ・ＷＬＡＮアグリゲーションのための要求であることを示す情報を、例えば、Ｉｎｆｏｒｍａｔｉｏｎ  ｅｌｅｍｅｎｔのヘッダに含める。
【０２３３】
これにより、ＡＰ３００は、セルラ・ＷＬＡＮアグリゲーションのための要求であることを示す情報に基づいて、接続要求の送信元のＵＥ１００がセルラ・ＷＬＡＮアグリゲーションの対象であるか否かを容易に判定できる。
【０２３４】
［第４実施形態の変更例２］
次に、第４実施形態の変更例１について説明する。上述した各実施形態と同様の部分は説明を省略する。第４実施形態の変更例２では、所定情報は、セルラ・ＷＬＡＮアグリゲーションにおいてＵＥ１００がセルラ通信を行う対象となるｅＮＢ２００又はセルを示す識別情報である。
【０２３５】
セルラ・ＷＬＡＮアグリゲーションのためにＡＰ３００へ接続要求を送信するＵＥ１００は、ＵＥ１００が在圏しているセルを示す識別子（Ｃｅｌｌ  ＩＤ）及び／又は当該セルを管理するｅＮＢ２００の識別子である識別情報を接続要求に含める。
【０２３６】
ＡＰ３００は、接続要求が識別情報を含む場合、接続要求の送信元のＵＥ１００がセルラ・ＷＬＡＮアグリゲーションの対象であると判定できる。さらに、ＡＰ３００は、実行要求に対する応答（例えば、ヘッダ）に、セルを示す識別子を含めることができる。これにより、ｅＮＢ２００は、識別情報に基づいて、当該ＵＥ１００に対して、セルラ・ＷＬＡＮアグリゲーションの対象となるセルを容易に認識することができる。複数のセルを管理するｅＮＢ２００とセルラ・ＷＬＡＮアグリゲーションを実行する場合に特に効果的である。
【０２３７】
また、ＡＰ３００は、複数のｅＮＢ２００のそれぞれと直接的な通信路が設定（確立）されている場合に、接続要求に含まれるｅＮＢ２００の識別子に基づいて、セルラ・ＷＬＡＮアグリゲーションの対象となるｅＮＢ２００を容易に認識することができる。従って、セルラ・ＷＬＡＮアグリゲーションの制御が効率よく実行できる。
【０２３８】
［第５実施形態］
次に、第５実施形態について、上述した図７を用いて説明する。上述した各実施形態と同様の部分は説明を省略する。第５実施形態は、データベアラの変更（解放）に関する。
【０２３９】
図７において、通常のセルラ通信用のデータベアラであるデータベアラ♯１のみが確立されているケースを想定する。このように、データベアラ♯１が確立されている状態において、ｅＮＢ２００は、セルラ・ＷＬＡＮアグリゲーションを開始する場合、セルラ・ＷＬＡＮアグリゲーションの対象となるＵＥ１００に対して、セルラ・ＷＬＡＮアグリゲーション用のデータベアラであるデータベアラ♯２を確立するための確立情報（ｗｌａｎＴｏＡｄｄＭｏｄＬｉｓｔｗｌａｎ）を送信する。確立情報は、確立の対象となるデータベアラを示すベアラＩＤ（のリスト（ｗｌａｎＴｏＡｄｄＭｏｄＬｉｓｔ））を含む。ＵＥ１００は、解放情報を受信する。ＵＥ１００は、確立情報を受信する。
【０２４０】
ここで、ｅＮＢ２００は、データベアラ♯１をデータベアラ♯２に変更する場合、確立情報に既に確立されているデータベアラ♯１を示すベアラ識別子（ベアラＩＤ♯Ａ）を含める。
【０２４１】
ＵＥ１００は、確立情報に含まれるベアラＩＤ♯Ａが、既に確立されているデータベアラ♯１を示すベアラＩＤ♯Ａと一致するため、データベアラ♯１を解放して、ベアラＩＤ♯Ａに対応するデータベアラ♯２を新たに確立する制御を開始する。一方、ＵＥ１００は、確立情報に含まれるベアラＩＤが新たなベアラＩＤである場合、新たなベアラＩＤに対応するデータベアラ♯２を新たに確立する制御を開始する。
【０２４２】
なお、確立情報は、ベアラＩＤに対応付けられたベアラタイプ情報を含んでいてもよい。ここでのベアラタイプ情報は、データベアラ♯２のタイプを示す。これにより、ＵＥ１００は、データベアラ♯１がデータベアラ♯２に変更されることを明確に認識できる。
【０２４３】
ｅＮＢ２００は、データベアラ♯１を解放させるための情報をＵＥ１００に送信することを省略できるため、シグナリングを減少できる。
【０２４４】
次に、図７において、データベアラ♯２のみが確立されているケースを想定する。このように、データベアラ♯２が確立されている状態において、ｅＮＢ２００は、セルラ・ＷＬＡＮアグリゲーションを終了させる場合、セルラ・ＷＬＡＮアグリゲーションを実行中のＵＥ１００に対して、データベアラ♯２を解放するための解放情報（ｗｌａｎＴｏＢｅＲｅｌｅａｓｅｄＬｉｓｔｗｌａｎ）を送信する。解放情報は、解放の対象となるデータベアラを示すベアラＩＤ（のリスト（ｗｌａｎＴｏＢｅＲｅｌｅａｓｅｄＬｉｓｔ））を含む。ＵＥ１００は、解放情報を受信する。
【０２４５】
ここで、ｅＮＢ２００は、データベアラ♯２をデータベアラ♯１に変更する場合、解放情報に既に確立されているデータベアラ♯２を示すベアラ識別子（ベアラＩＤ♯Ａ）を含める。
【０２４６】
ＵＥ１００は、解放情報に含まれるベアラＩＤ♯Ａが、既に確立されているデータベアラ♯２を示すベアラＩＤ♯Ａと一致するため、データベアラ♯２を解放して、ベアラＩＤ♯Ａに対応するデータベアラ♯１を新たに確立する制御を開始する。
【０２４７】
なお、解放情報は、ベアラＩＤに対応付けられたベアラタイプ情報を含んでいてもよい。ここでのベアラタイプ情報は、データベアラ♯１のタイプを示す。これにより、ＵＥ１００は、データベアラ♯２がデータベアラ♯１に変更されることを明確に認識できる。
【０２４８】
ｅＮＢ２００は、データベアラ♯１を確立させるための情報を送信することを省略できるため、シグナリングを減少できる。
【０２４９】
一方、ｅＮＢ２００は、データベアラ♯２をデータベアラ♯１に変更せずに、データベアラ♯２を解放する場合、上記解放情報（第１の解放情報）と共に、データベアラ♯１を解放するための第２の解放情報をＵＥ１００に送信する。ｅＮＢ２００は、第２の解放情報に既に確立されているデータベアラ♯２を示すベアラ識別子（ベアラＩＤ♯Ａ）（のリスト（ＴｏＢｅＲｅｌｅａｓｅｄＬｉｓｔ））含める。
【０２５０】
ＵＥ１００は、第１の解放情報に含まれるベアラＩＤ♯Ａと第２の解放情報に含まれるベアラＩＤ♯Ａとが一致するため、データベアラ♯２を解放する制御を開始し、ベアラＩＤ♯Ａに対応するデータベアラ♯１を新たに確立する制御を省略する。
【０２５１】
次に、図７において、データベアラ♯２のみが確立されているケースを想定する。このように、データベアラ♯２が確立されている状態において、ｅＮＢ２００は、データベアラ♯２を別のデータベアラ♯２に変更する場合、セルラ・ＷＬＡＮアグリゲーションを実行中のＵＥ１００に対して、データベアラ♯２を確立するための確立情報（ｗｌａｎＴｏＢｅＲｅｌｅａｓｅｄＬｉｓｔ）を送信する。確立情報は、確立の対象となるデータベアラを示すベアラＩＤ（のリスト）に加えて、ＡＰ３００を示す識別子（ＷＬＡＮ識別子）又はＷＬＡＮ周波数帯（例えば、５ＧＨｚ／２．４ＧＨｚ／６０ＧＨｚなど）を示す情報の少なくとも一方を含む。
【０２５２】
ここで、ｅＮＢ２００は、データベアラ♯２を別のデータベアラ♯２に変更する場合、確立情報に既に確立されているデータベアラ♯２を示すベアラ識別子（ベアラＩＤ♯Ａ）を含める。また、ｅＮＢ２００は、確立情報に、セルラ・ＷＬＡＮアグリゲーションを実行中のＡＰ３００と異なるＡＰ３００を示すＷＬＡＮ識別子を含める。また、ｅＮＢ２００は、確立情報に、セルラ・ＷＬＡＮアグリゲーションに使用されているＷＬＡＮ周波数帯と異なる周波数帯を示すＷＬＡＮ周波数帯を示す情報を含める。
【０２５３】
ＵＥ１００は、確立情報に含まれるベアラＩＤ♯Ａが、既に確立されているデータベアラ♯２を示すベアラＩＤ♯Ａと一致する場合、ベアラＩＤ♯Ａ対応するデータベアラ♯２を解放する制御を開始すると共に、確立情報に含まれるＷＬＡＮ識別子に対応するＡＰ３００と新たなデータベアラ♯２を確立する制御又は確立情報に含まれるＷＬＡＮ周波数帯を利用した新たなデータベアラ♯２を確立する制御を開始する。
【０２５４】
ｅＮＢ２００は、既に確立されているデータベアラ♯２を解放させるための情報をＵＥ１００に送信することを省略できるため、シグナリングを減少できる。
【０２５５】
なお、ｅＮＢ２００は、ＵＥ１００からのＷＬＡＮ測定結果に基づいて、データベアラの変更（解放）を決定できる。ｅＮＢ２００は、データベアラの変更（解放）を決定した場合、確立情報／解放情報を含むＲＲＣＣｏｎｎｅｃｉｔｏｎＲｅｃｏｎｆｉｇｕｒａｔｉｏｎメッセージを送信できる。
【０２５６】
［その他の実施形態］
上述した各実施形態において、セルラ・ＷＬＡＮアグリゲーションに関するＡＰ３００の動作は、第４実施形態におけるＡＧエンティティ３５１によって実行されてもよい。或いは、ＡＰ３００が有するＭＡＣエンティティ３５２が、ＡＧエンティティ３５１の機能を実行してもよい。或いは、（複数の）ＡＰ３００を制御するノード（例えば、ＡＣ：Ａｃｃｅｓｓ  Ｃｏｎｔｒｏｌｅｒ）が、ＡＧエンティティを有していてもよい。ｅＮＢ２００は、ＡＣ内のＡＧエンティティと、直接的な通信路を用いて、所定の情報のやり取りを行うことができる。或いは、ｅＮＢ２００は、セルラ・ＷＬＡＮ一体型ｅＮＢ２００である場合、ＡＧエンティティを有していてもよい。ｅＮＢ２００は、ＡＧエンティティにセルラ・ＷＬＡＮアグリゲーションを制御させてもよい。
【０２５７】
また、上述した各実施形態において、ＡＰ３００への接続要求を送信するＵＥ１００は、セルラ・ＷＬＡＮアグリゲーションを開始する場合に、上述の動作を実行してもよいし、セルラ・ＷＬＡＮアグリゲーションを実行中に、セルラ・ＷＬＡＮアグリゲーションの対象となるＡＰ３００を変更する場合、及び、セルラ・ＷＬＡＮアグリゲーションに利用されるＷＬＡＮ周波数帯を変更する場合に、上述の動作を実行してもよい。
【０２５８】
上述した各実施形態に係る動作は別個独立して行う場合に限らず、２以上の実施形態に係る動作を組み合わせて行ってもよい。
【０２５９】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【０２６０】
なお、日本国特許出願第２０１４−２４０６４６号（２０１４年１１月２７日出願）の全内容が、参照により、本願明細書に組み込まれている。
【図１】
2018042255.tif 000003
【図２】
2018042255.tif 000004
【図３】
2018042255.tif 000005
【図４】
2018042255.tif 000006
【図５】
2018042255.tif 000007
【図６】
2018042255.tif 000008
【図７】
2018042255.tif 000009
【図８】
2018042255.tif 000010
【図９】
2018042255.tif 000011
【図１０】
2018042255.tif 000012
【図１１】
2018042255.tif 000013
【図１２】
2018042255.tif 000014
【図１３】
2018042255.tif 000015